(57)【特許請求の範囲】
【請求項１】
通信を行う通信装置において、
画像を撮像し、第１の画像信号を、他の通信装置に送出するために出力する撮像手段と、
他の通信装置の撮像手段が出力する第２の画像信号を指示する指示手段と、
前記指示手段の指示に対応する指示情報を送信する送信手段と、
前記指示情報に応じて指示される撮像手段の前記第２の画像信号を受信する受信手段と、
前記第２の画像信号に対応する画像を、前記通信装置が設置された室内の壁面又は天井の少なくとも一方に表示する表示手段と
を備え、
前記撮像手段は、前記表示手段のほぼ背面に設置されており、
前記他の通信装置の撮像手段は、前記他の通信装置の表示手段のほぼ背面に設置され、前記通信装置の前記撮像手段とは異なる景色の画像を撮像し、前記第２の画像信号を出力する
通信装置。
【請求項２】
前記指示手段は、所定の時間に撮像が行われた前記第２の画像信号、又は所定のオブジェクトが含まれている前記第２の画像信号の一方を指示する
請求項１に記載の通信装置。
【請求項３】
太陽光を集光する集光手段をさらに備え、
前記指示手段は、前記他の通信装置の集光手段により集光された光も指示し、
前記送信手段は、前記指示手段の指示に対応する指示情報も送信し、
前記指示情報に応じて指示される、前記他の通信装置の集光手段により集光された光を受光する受光手段も備える
請求項１又は２に記載の通信装置。
【請求項４】
前記指示手段は、光を利用するデバイスを、さらに指示し、
前記受光手段は、前記指示手段の指示に対応する指示情報に応じて指示されるデバイスに必要な光量が、前記通信装置の集光手段により集光されている光の光量では不足する場合に、前記他の通信装置の集光手段により集光された光の提供を制御する制御手段の制御に応じて提供される、前記他の通信装置の集光手段により集光された光を受光する
請求項３に記載の通信装置。
【請求項５】
前記受光手段によって受光された光は、液晶を照明する光として利用される
請求項４に記載の通信装置。
【請求項６】
前記指示手段は、明るさを、さらに指示し、
前記受光手段は、前記指示手段の指示に対応する指示情報に応じて指示される明るさに必要な光量が、前記通信装置の集光手段により集光されている光の光量では不足する場合に、前記他の通信装置の集光手段により集光された光の提供を制御する制御手段の制御に応じて提供される、前記他の通信装置の集光手段により集光された光を受光する
請求項３に記載の通信装置。
【請求項７】
前記集光手段により集光される光の光量を検出する光量検出手段をさらに備え、
前記指示手段は、前記光量検出手段により検出された光量が所定の閾値未満であることを、さらに指示し、
前記送信手段は、前記指示手段の指示に対応する指示情報を送信する
請求項３に記載の通信装置。
【請求項８】
光を提供する配光を行う配光手段をさらに備え、
前記送信手段は、前記指示情報に応じて光の提供を制御する制御手段に、前記指示情報を送信し、
前記配光手段は、前記制御手段の制御に従い、前記集光手段により集光された光を、前記他の通信装置の受光手段に配光する
請求項３に記載の通信装置。
【請求項９】
光を提供する配光を行う配光手段をさらに備え、
前記配光手段は、前記指示手段の指示に応じて、前記集光手段により集光された光を、前記受光手段に配光する
請求項３に記載の通信装置。
【請求項１０】
前記受信手段は、前記第２の画像信号の提供を制御する制御手段の制御に応じて提供される前記第２の画像信号を、さらに受信し、
前記制御手段は、
画像のメタデータと、その画像を撮像する撮像手段が出力する画像信号にアクセスするためのポインタとが対応付けられたポインタテーブルと、
前記ユーザを識別するユーザIDと、そのユーザの操作に応じて前記表示手段に表示された画像のメタデータとが対応付けられたユーザテーブルと
を用いて、特定のユーザIDに対応付けられたメタデータを有する画像を撮像する撮像手段を選択し、その撮像手段が出力する前記第２の画像信号の提供を制御する
請求項１に記載の通信装置。
【請求項１１】
前記指示手段は、ユーザの操作に応じて、前記他の通信装置の集光手段により集光された光を指示する場合において、
前記集光手段により集光された光を提供する配光を行う配光手段をさらに備え、
前記受光手段は、光の提供を制御する制御手段の制御に応じて提供される光を、さらに受光し、
前記制御手段は、前記ユーザを識別するユーザIDと、そのユーザの操作に応じて前記受光手段が受光した光量に関する光量情報とが対応付けられたテーブルを用いて、特定のユーザIDに対応付けられた光量情報を検出し、その光量情報に応じて、他の通信装置の配光手段による、前記受光手段への光の提供を制御する
請求項３に記載の通信装置。
【請求項１２】
前記受光手段によって受光された光は、画像を表示するための光源として利用される
請求項１１に記載の通信装置。
【請求項１３】
前記テーブルには、前記ユーザIDと光量情報とが対応付けされているとともに、前記光量情報と、その光量情報に対応する光量の光を利用して表示された画像のメタデータとが対応付けられており、
前記制御手段は、前記テーブルを用いて、前記特定のユーザIDに対応付けられた光量情報のうちの、前記表示手段で表示されている画像のメタデータに対応付けられた光量情報を検出し、その光量情報に応じて、他の通信装置の配光手段による、前記受光手段への光の提供を制御する
請求項１２に記載の通信装置。
【請求項１４】
前記画像は、天井に表示される
請求項１２に記載の通信装置。
【請求項１５】
通信を行う通信装置の通信方法において、
前記通信装置が、
画像を撮像し、第１の画像信号を、他の通信装置に送出するために出力する撮像手段と、
他の通信装置の撮像手段が出力する第２の画像信号に対応する画像を、前記通信装置が設置された室内の壁面又は天井の少なくとも一方に表示する表示手段と
を備え、
画像を撮像し、第１の画像信号を、他の通信装置に送出するために出力し、
他の通信装置の撮像手段が出力する第２の画像信号の指示をし、
前記指示に対応する指示情報を送信し、
前記指示情報に応じて指示される撮像手段の前記第２の画像信号を受信し、
前記第２の画像信号に対応する画像を、前記通信装置が設置された室内の壁面又は天井の少なくとも一方に表示する
ステップを含み、
前記撮像手段は、前記表示手段のほぼ背面に設置されており、
前記他の通信装置の撮像手段は、前記他の通信装置の表示手段のほぼ背面に設置され、前記通信装置の前記撮像手段とは異なる景色の画像を撮像し、前記第２の画像信号を出力する
通信方法。
【請求項１６】
通信を行う通信装置として、コンピュータを機能させるプログラムにおいて、
前記通信装置は、
画像を撮像し、第１の画像信号を、他の通信装置に送出するために出力する撮像手段と、
他の通信装置の撮像手段が出力する第２の画像信号に対応する画像を、前記通信装置が設置された室内の壁面又は天井の少なくとも一方に表示する表示手段と
を備え、
他の通信装置の撮像手段が出力する第２の画像信号を指示する指示手段と、
前記指示手段の指示に対応する指示情報を送信する送信手段と、
前記指示情報に応じて指示される撮像手段の前記第２の画像信号を受信する受信手段と
して、コンピュータを機能させ、
前記撮像手段は、前記表示手段のほぼ背面に設置されており、
前記他の通信装置の撮像手段は、前記他の通信装置の表示手段のほぼ背面に設置され、前記通信装置の前記撮像手段とは異なる景色の画像を撮像し、前記第２の画像信号を出力する
プログラム。
【発明の詳細な説明】
【技術分野】
【０００１】
本発明は、通信装置、通信方法、及び、プログラムに関し、特に、街全体の繁栄を可能とする通信装置、通信方法、及び、プログラムに関する。
【背景技術】
【０００２】
同一の目的を持つ人々が近接した地域に住み、例えば、医療モール、セキュリティタウン、介護村等と呼ばれる街が形成されている。
【０００３】
例えば、医療モールでは、複数の医療施設、すなわち、例えば、眼科や、内科、外科等の各専門の医療施設が設けられ、医療モールとしての街に住む人々は、他の街まで足を運ばなくても、その医療モールとしての街において、各種の専門の医療を受けることができる。
【０００４】
医療モール等のように、同様のサービスを提供する施設が存在する街としては、いわゆるリゾート地や、温泉街等がある。
【０００５】
リゾート地や温泉街では、同様のサービスを提供する複数の施設として、例えば、複数のホテル等が建ち並び、飲食物の提供や、宿泊施設の提供等のサービスの提供が行われる。
【０００６】
ところで、例えば、温泉街にある複数のホテルのそれぞれでは、他のホテルと競争状態にあるため、個別に、集客をする努力がされる。
【０００７】
集客には、例えば、ホテルの日当たりが良いことや、ホテルから見た景色が良いこと等の、いわゆる強みとなる特徴があることが、極めて有効である。
【０００８】
ここで、日当たりを良くするには、例えば、特許文献１に記載の、採光を行う技術を利用することができる。また、景色については、例えば、特許文献２に記載の、遠隔にある複数のカメラで撮影した画像を、選択的に表示する技術を利用し、様々な画像を、顧客（ユーザ）に、景色として見せることができる。
【０００９】
【特許文献１】特開2001-305473号公報
【特許文献２】特開2007-108677号公報
【発明の開示】
【発明が解決しようとする課題】
【００１０】
ところで、景色が良いホテルであっても、その景色が見える方向に、高層のホテルが、新たに建設された場合には、景色が良いという特徴が失われ、集客のための新たな努力が必要となる。
【００１１】
また、例えば、温泉街において、少数のホテルに突出した特徴があっても、他の多数のホテルが寂れれば、温泉街全体の魅力が低下し、ひいては、特徴のあるホテルの集客力が低下することになる。
【００１２】
したがって、温泉街全体の繁栄のためには、その温泉街のホテル１つ１つの集客力を向上させる必要がある。
【００１３】
しかしながら、各ホテルが、例えば、特許文献１や２に記載の技術等を利用して、個別に、集客のための努力をすることは、効率的ではない。
【００１４】
なお、特許文献１及び２には、複数の施設が協力し合う協業を実現することについては、記載も示唆もされていない。
【００１５】
本発明は、このような状況に鑑みてなされたものであり、近接する同様の目的の複数の施設が協力し合う協業を実現し、これにより、街全体の繁栄を可能とするものである。
【課題を解決するための手段】
【００１６】
本発明の一側面の通信装置は、画像を撮像し、第１の画像信号を、他の通信装置に送出するために出力する撮像手段と、他の通信装置の撮像手段が出力する第２の画像信号を指示する指示手段と、前記指示手段の指示に対応する指示情報を送信する送信手段と、前記指示情報に応じて指示される撮像手段の前記第２の画像信号を受信する受信手段と、前記第２の画像信号に対応する画像を、前記通信装置が設置された室内の壁面又は天井の少なくとも一方に表示する表示手段とを備え、前記撮像手段は、前記表示手段のほぼ背面に設置されており、前記他の通信装置の撮像手段は、前記他の通信装置の表示手段のほぼ背面に設置され、前記通信装置の前記撮像手段とは異なる景色の画像を撮像し、前記第２の画像信号を出力する通信装置である。
【００１７】
本発明の一側面の通信方法は、前記通信装置が、画像を撮像し、第１の画像信号を、他の通信装置に送出するために出力する撮像手段と、他の通信装置の撮像手段が出力する第２の画像信号に対応する画像を、前記通信装置が設置された室内の壁面又は天井の少なくとも一方に表示する表示手段とを備え、画像を撮像し、第１の画像信号を、他の通信装置に送出するために出力し、他の通信装置の撮像手段が出力する第２の画像信号の指示をし、前記指示に対応する指示情報を送信し、前記指示情報に応じて指示される撮像手段の前記第２の画像信号を受信し、前記第２の画像信号に対応する画像を、前記通信装置が設置された室内の壁面又は天井の少なくとも一方に表示するステップを含み、前記撮像手段は、前記表示手段のほぼ背面に設置されており、前記他の通信装置の撮像手段は、前記他の通信装置の表示手段のほぼ背面に設置され、前記通信装置の前記撮像手段とは異なる景色の画像を撮像し、前記第２の画像信号を出力する通信方法である。
【００１８】
本発明の一側面のプログラムは、前記通信装置は、画像を撮像し、第１の画像信号を、他の通信装置に送出するために出力する撮像手段と、他の通信装置の撮像手段が出力する第２の画像信号に対応する画像を、前記通信装置が設置された室内の壁面又は天井の少なくとも一方に表示する表示手段とを備え、他の通信装置の撮像手段が出力する第２の画像信号を指示する指示手段と、前記指示手段の指示に対応する指示情報を送信する送信手段と、前記指示情報に応じて指示される撮像手段の前記第２の画像信号を受信する受信手段として、コンピュータを機能させ、前記撮像手段は、前記表示手段のほぼ背面に設置されており、前記他の通信装置の撮像手段は、前記他の通信装置の表示手段のほぼ背面に設置され、前記通信装置の前記撮像手段とは異なる景色の画像を撮像し、前記第２の画像信号を出力するプログラムである。
【００１９】
本発明の一側面においては、画像を撮像し、第１の画像信号を、他の通信装置に送出するために出力する撮像手段において、画像が撮像され、第１の画像信号が、他の通信装置に送出される。一方、他の通信装置の撮像手段が出力する第２の画像信号が指示され、指示に対応する指示情報が送信される。そして、前記指示情報に応じて指示される撮像手段の前記第２の画像信号が受信され、前記第２の画像信号に対応する画像が、前記通信装置が設置された室内の壁面又は天井の少なくとも一方に表示される。なお、前記撮像手段は、前記表示手段のほぼ背面に設置されており、前記他の通信装置の撮像手段は、前記他の通信装置の表示手段のほぼ背面に設置され、前記通信装置の前記撮像手段とは異なる景色の画像を撮像し、前記第２の画像信号を出力する。
【００２０】
なお、通信装置は、独立した装置であっても良いし、１つの装置を構成している内部ブロックであっても良い。
【００２１】
また、プログラムは、伝送媒体を介して伝送することにより、又は、記録媒体に記録して、提供することができる。
【発明の効果】
【００２２】
本発明の一側面によれば、近接する同様の目的の複数の施設が協力し合う協業を実現し、これにより、街全体の繁栄が可能となる。
【発明を実施するための最良の形態】
【００２３】
図１は、本発明を適用した、複数の施設が協力し合う協業を実現するための協業処理システムの一実施の形態の構成例を示している。
【００２４】
図１において、協業処理システムは、複数としての、例えば、２つの通信装置１１及び１２と、制御装置１３とから構成される。
【００２５】
協業処理システムは、例えば、温泉街や、カジノ施設が集まった街等の、同様の目的を有する複数の施設が存在する街に設置される。なお、協業処理システムが設置される街は、温泉街等の、そこに訪れる人が永住しない街であっても良いし、医療モール等の永住を目的とする街であっても良い。
【００２６】
図１では、街には、同様の目的の（同様のサービスを提供する）２つの施設i1及びi2と、制御センタとが存在し、施設i1には通信装置１１が、施設i2には通信装置１２が、制御センタには制御装置１３が、それぞれ設置されている。
【００２７】
施設i1の通信装置１１、及び、施設i2の通信装置１２は、制御センタの制御装置１３との間で、協業のための通信を行い、制御装置１３の制御等に従って処理を行う。
【００２８】
なお、制御装置１３は、制御センタではなく、通信装置１１又は１２と一体化して、施設i1又はi2に設置することが可能である。この場合、制御装置１３が設置された施設i1又はi2が、制御センタとしても機能することになる。
【００２９】
また、制御装置１３の機能は、通信装置１１及び１２が、分担して担当することができ、この場合、施設i1及びi2が、制御センタとしても機能することになる。
る。
【００３０】
さらに、図１では（後述する図でも同様）、協業処理システムが、２つの通信装置１１及び１２を有するが、協業処理システムには、３以上の通信装置を設けることが可能である。
【００３１】
図２は、図１の街（協業する街）に設置された協業処理システムの構成例を示している。
【００３２】
通信装置１１は、センサ部３１、指示部３２、送信部３３、及び、レシーブ部３４から構成される。
【００３３】
センサ部３１は、例えば、光等の物理量をセンシングして、その物理量を、他の通信装置１２等に送出するために出力する。なお、センサ部３１の出力（センサ出力）は、送出部５２に供給される。
【００３４】
指示部３２は、例えば、ユーザの操作等に応じて、他の通信装置１２が有するセンサ部４１のセンサ出力等を指示する。すなわち、指示部３２は、ユーザの操作等に応じて、例えば、他の通信装置１２が有するセンサ部４１のセンサ出力等の指示に対応する指示情報を生成し、送信部３３に供給する。
【００３５】
送信部３３は、指示部３２からの指示情報を、制御部５１に送信する。
【００３６】
レシーブ部３４は、制御部５１に送信された指示情報に応じて指示されるセンサ出力を、例えば、送出部５３から受ける。
【００３７】
通信装置１２は、通信装置１１と同様に構成される。
【００３８】
すなわち、通信装置１２は、センサ部３１、指示部３２、送信部３３、及び、レシーブ部３４とそれぞれ同様のセンサ部４１、指示部４２、送信部４３、及び、レシーブ部４４から構成される。
【００３９】
なお、通信装置１２において、センサ部４１のセンサ出力は、送出部５３に供給される。また、レシーブ部４４は、制御部５１に送信された指示情報に応じて指示されるセンサ出力が、例えば、センサ部３１のセンサ出力である場合には、そのセンサ出力を、送出部５２から受ける。
【００４０】
制御装置１３は、制御部５１、送出部５２及び５３から構成される。
【００４１】
制御部５１は、通信装置１１の送信部３３から送信されてくる指示情報や、通信装置１２の送信部４３から送信されてくる指示情報、協業処理システムを構成するその他の通信装置の送信部から送信されてくる指示情報に従い、送出部５２や５３によるセンサ出力の提供を制御する。
【００４２】
送出部５２は、制御部５１の制御に従い、通信装置１１のセンサ部３１のセンサ出力を、通信装置１１にとって他の通信装置（例えば、通信装置１２や、協業処理システムを構成するその他の通信装置）に提供（送出）する。
【００４３】
送出部５３は、制御部５１の制御に従い、通信装置１２のセンサ部４１のセンサ出力を、通信装置１２にとって他の通信装置（例えば、通信装置１１や、協業処理システムを構成するその他の通信装置）に提供する。
【００４４】
なお、通信装置１１のセンサ部３１のセンサ出力を他の通信装置に提供する送出部５２は、制御装置１３ではなく、通信装置１１に設けることが可能である。
【００４５】
同様に、通信装置１２のセンサ部４１のセンサ出力を他の通信装置に提供する送出部５３は、制御装置１３ではなく、通信装置１２に設けることが可能である。
【００４６】
次に、図３を参照して、図２の通信装置１１の処理について説明する。
【００４７】
なお、通信装置１２を含む、協業処理システムを構成する他の通信装置でも、通信装置１１と同様の処理が行われる。
【００４８】
通信装置１１では、第１及び第２の処理が行われる。
【００４９】
図３Ａは、第１の処理を説明するフローチャートである。
【００５０】
第１の処理では、ステップＳ１１において、センサ部３１が、光等の物理量をセンシングして、処理は、ステップＳ１２に進む。ステップＳ１２では、センサ部３１が、物理量をセンシングして得られるセンシング結果を、センサ出力として出力する。センサ部３１のセンサ出力は、送出部５２に供給される。
【００５１】
図３Ｂは、第２の処理を説明するフローチャートである。
【００５２】
第２の処理では、ステップＳ２１において、指示部３２が、ユーザの操作等に応じて、他の通信装置のセンサ出力等を指示する。すなわち、指示部３２は、例えば、通信装置１２が有するセンサ部４１のセンサ出力等の指示に対応する指示情報を生成し、送信部３３に供給して、処理は、ステップＳ２１からステップＳ２２に進む。
【００５３】
ステップＳ２２では、送信部３３は、指示部３２からの指示情報を、制御部５１に送信して、処理は、ステップＳ２３に進む。
【００５４】
ステップＳ２３では、レシーブ部３４は、送信部３３から制御部５１に送信された指示情報に応じて指示されるセンサ出力を受ける。
【００５５】
すなわち、制御部５１は、例えば、通信装置１１の送信部３３から、指示情報が送信されてくると、その指示情報を受信し、その指示情報に応じて、通信装置１１にセンサ出力を提供する制御を行う。
【００５６】
具体的には、指示情報に応じて指示されるセンサ出力が、例えば、通信装置１２のセンサ部４１のセンサ出力である場合には、制御部５１は、その通信装置１２のセンサ部４１のセンサ出力を提供する送出部５３を制御することで、送出部５３に、センサ部４１のセンサ出力を、通信装置１１に提供させる。
【００５７】
ステップＳ２３では、レシーブ部３４は、例えば、以上のようにして、送出部５３から提供されるセンサ出力を受ける。
【００５８】
なお、第１及び第２の処理は、適宜、繰り返し行われる。
【００５９】
図４は、協業処理システムが設置される街の例を示している。
【００６０】
図４の街は、例えば、リゾート地としての街であり、４つのホテルHA，HB，HC、及びHDと、制御センタとが建設されている。
【００６１】
ホテルHAには、複数の客室HA1，HA2，・・・が設けられている。同様に、ホテルHBには、複数の客室HB1，HB2，・・・が、ホテルHCには、複数の客室HC1，HC2，・・・が、ホテルHDには、複数の客室HD1，HD2，・・・が、それぞれ設けられている。
【００６２】
また、ホテルHA（の客室HA1，HA2，・・・）は、実際の山の景色を眺めることができる位置に、ホテルHBは、実際の川の景色を眺めることができる位置に、それぞれ建設されている。さらに、ホテルHCは、実際の海の景色を眺めることができる位置に、ホテルHDは、実際の街の景色を眺めることができる位置に、それぞれ建設されている。
【００６３】
但し、ホテルHAの立地は、他のホテルから眺めることができる実際の景色、つまり、ホテルHBから眺めることができる実際の川の景色、ホテルHCから眺めることができる実際の海の景色、及び、ホテルHDから眺めることができる実際の街の景色を眺めることができない立地になっている。
【００６４】
同様に、ホテルHBの立地も、ホテルHAから眺めることができる実際の山の景色、ホテルHCから眺めることができる実際の海の景色、及び、ホテルHDから眺めることができる実際の街の景色を眺めることができない立地になっている。
【００６５】
さらに、同様に、ホテルHCの立地も、ホテルHAから眺めることができる実際の山の景色、ホテルHBから眺めることができる実際の川の景色、及び、ホテルHDから眺めることができる実際の街の景色を眺めることができない立地になっており、ホテルHDの立地も、ホテルHAから眺めることができる実際の山の景色、ホテルHBから眺めることができる実際の川の景色、及び、ホテルHCから眺めることができる実際の海の景色を眺めることができない立地になっている。
【００６６】
しかしながら、街に設置された協業処理システムによれば、協業処理により、ホテルHAないしHDのいずれ（の客室）においても、ホテルHAに宿泊すれば眺めることができたであろう山の景色、ホテルHBに宿泊すれば眺めることができたであろう川の景色、ホテルHCに宿泊すれば眺めることができたであろう海の景色、及び、ホテルHDに宿泊すれば眺めることができたであろう街の景色のうちのいずれをも眺めることができるようになっている。
【００６７】
図５は、ホテルHAの客室HA1の構成例を模式的に示している。
【００６８】
客室HA1において、その壁面のうちの、例えば、実際の山の景色を眺めることができる方の壁面は、表示部１１５になっている。
【００６９】
ここで、壁面の全体が、表示部１１５となっていても良いし、壁面の一部が表示部１１５となっていても良い。壁面の一部を表示部１１５とする場合には、例えば、壁面の、本来、窓となる部分を表示部１１５とすることができる。
【００７０】
また、客室HA1において、表示部１１５とする壁面は、実際の山の景色を眺めることができる方の１つの壁面だけでなく、他の壁面を、表示部１１５と同様の表示部とすることができる。
【００７１】
ここで、以下では、説明を簡単にするため、客室HA1の、実際の山の景色を眺めることができる方の壁面だけが、表示部１１５になっていることとし、その表示部１１５となっている壁を、表示壁面ともいう。
【００７２】
表示部１１５は、画像を表示するが、その画像を表示する表示面が、客室HA1の室内側になるように設置されている。
【００７３】
また、表示部１１５は、画像を表示する他、透明になることもできるようになっている。
【００７４】
したがって、表示部１１５の動作モードには、画像を表示するモードと、透明になるモードとがある。以下、適宜、表示部１１５が画像を表示するモードを、画像表示モードといい、表示部１１５が透明になるモードを、窓モードという。
【００７５】
窓モードでは、表示部１１５が透明になるので、図５Ａに示すように、客室HA1からは、透明な表示部１１５を介して、実際の山の景色を眺めることができる。したがって、窓モードでは、表示部１１５は、窓として機能する。
【００７６】
一方、画像表示モードでは、表示部１１５は、カメラ等で撮影された画像を表示する。
【００７７】
すなわち、カメラ等の、画像を撮像し、画像信号を出力する撮像部１１１が、表示部１１５（表示壁面）の背面に設置されている。
【００７８】
ここで、表示部１１５（表示壁面）の背面とは、画像が表示される表示面を正面とした場合の、その正面の裏側の面である。
【００７９】
なお、撮像部１１１は、表示部１１５の動作モードが窓モードである場合に、客室HA1の室内から見える景色の画像を撮像することができる位置に設置すればよく、したがって、表示部１１５の背面の他、例えば、表示部１１５の背面側の、表示部１１５に近い位置に設置してもよい。以下、適宜、表示部１１５の背面、及び、表示部１１５の背面側の、表示部１１５に近い位置を、表示部１１５のほぼ背面という。
【００８０】
画像表示モードにおいては、表示部１１５では、撮像部１１１が撮像を行った結果得られる画像信号に対応する画像を表示することができる。さらに、表示部１１５では、その他の画像を表示することができる。
【００８１】
すなわち、客室HA1以外の、他の客室、つまり、客室HA1以外のホテルHAの客室、及び、ホテルHAとは異なる建物であるホテルHBないしHDそれぞれの客室も、客室HA1と同様に構成され、撮像部１１１と同様の撮像部、及び、表示部１１５と同様の表示部を有し、撮像部は、表示部のほぼ背面に設置されている。
【００８２】
ここで、ホテルHAでは、撮像部は、そのホテルHAから眺めることができる実際の景色を撮像することができる方向に向けて設置されている。ホテルHBないしHDでも同様である。
【００８３】
図４で説明したように、ホテルHAないしHDのそれぞれから眺めることができる実際の景色は異なるので、ホテルHBないしHDそれぞれの客室の撮像部は、ホテルHAの客室HA1の撮像部１１１が向いている方向（撮像方向）とは異なる方向を向いて設置されている。
【００８４】
表示部１１５では、客室HA1以外のホテルHAの客室の撮像部や、ホテルHBないしHDそれぞれの客室の撮像部で撮像された画像を、例えば、客室HA1の宿泊客（ユーザ）の操作に応じて表示することができる。
【００８５】
表示部１１５において、例えば、撮像部１１１で撮影された画像が表示される場合には、ユーザは、窓モードで、実際の山の景色を眺めるのと同様の山の景色を見ることができる。
【００８６】
また、表示部１１５において、例えば、図５Ｂに示すように、ホテルHBの客室のうちのいずれかの撮像部で撮像された画像が表示される場合には、ユーザは、ホテルHBに宿泊しなければ眺めることができなかった川の景色を見ることができ、ホテルHBに宿泊しているかのような感覚を享受することができる。
【００８７】
さらにに、表示部１１５において、例えば、図５Ｃに示すように、ホテルHCの客室のうちのいずれかの撮像部で撮像された画像が表示される場合には、ユーザは、ホテルHCに宿泊しなければ眺めることができなかった海の景色を見ることができ、ホテルHCに宿泊しているかのような感覚を享受することができる。
【００８８】
同様に、表示部１１５において、ホテルHDの客室のうちのいずれかの撮像部で撮像された画像が表示される場合には、ユーザは、ホテルHDに宿泊しなければ眺めることができなかった街の景色を見ることができ、ホテルHDに宿泊しているかのような感覚を享受することができる。
【００８９】
ホテルHAないしHDのそれぞれが協力し合って、それぞれから眺めることができる景色の画像を提供し合う協業を実現することで、上述のように、ユーザは、ホテルHAないしHDのうちのいずれに宿泊しても、ホテルHAないしHDそれぞれから眺めることができる景色のいずれをも見ることができる。
【００９０】
したがって、宿泊先のホテルについて、眺め（景色）を重要視するユーザについては、ホテルHAないしHDのいずれも、同様の集客力を発揮し、ひいては、街全体を繁栄させることができる。
【００９１】
なお、表示部１１５では、上述したように、ホテルHAと異なるホテルHBないしHDの客室の撮像部で撮像された画像を表示する他、客室HA1以外のホテルHAの客室の撮像部で撮像された画像を表示することができる。
【００９２】
すなわち、例えば、表示部１１５では、客室HA1の階（フロア）と異なる階の客室の撮像部、つまり、客室HA1の撮像部１１１が設置されている位置とは高さが異なる位置に設置されている撮像部で撮像された画像を表示することができる。
【００９３】
具体的には、例えば、客室HA1が下の方の階の客室である場合に、表示部１１５において、最上階の客室の撮像部で撮像された画像を表示することができる。この場合、下の方の階の客室HA1に宿泊したユーザは、最上階の客室に宿泊しているかのような感覚を享受することができる。
【００９４】
その他、表示部１１５では、客室HA1以外のホテルHAの客室の撮像部で撮像された画像を表示することができる。
【００９５】
例えば、客室HA1が、いわゆる角部屋でない場合に、表示部１１５において、角部屋の客室の撮像部で撮像された画像を表示することができる。この場合、角部屋でない客室HA1に宿泊したユーザは、角部屋の客室に宿泊しているかのような感覚を享受することができる。
【００９６】
なお、表示部１１５において画像を表示する場合には、その画像の画角（視野角）は、ユーザが実際の景色を眺めているかのような感覚を享受するために、ユーザと表示壁面との距離に応じて、表示部１１５が窓であったならば見えるであろう範囲（画角）に調整することが望ましい。
【００９７】
また、撮像部１１１としては、例えば、双曲面ミラーを用いた全方位ミラーを採用することができる。
【００９８】
さらに、撮像部の設置については、１つの客室ごとに、１つの撮像部を設置する他、１つの客室に、複数の撮像部を設置することや、例えば、隣接する２つの客室等の複数の客室に、１つの撮像部を設置する（複数の客室で、１つの撮像部を兼用する）こと等が可能である。
【００９９】
次に、図６及び図７を参照して、表示部１１５について説明する。
【０１００】
表示部１１５としては、例えば、特開平06-043478号公報に記載の、液晶を利用して表示を行う液晶表示装置を用いることができる。
【０１０１】
図６は、表示部１１５として用いられる液晶表示装置の構成例を示している。
【０１０２】
図６において、液晶表示装置は、２つの液晶セル１５１及び１５２から構成される。
【０１０３】
液晶セル１５１は、例えば、電圧をかけることによって、すりガラス等のように、光を散乱する光散乱状態と、透明なガラス等のように、光を透過する光透過状態とに状態変化する。
【０１０４】
液晶セル１５２は、例えば、電圧をかけることによって、光透過状態と、光を遮断する遮光状態とに状態変化する。
【０１０５】
なお、液晶セル１５２は、いわゆる液晶TV(Television)で採用されている液晶セルと同様の機能を有し、したがって、画素単位で、光の通過（遮光）を制御することができる。
【０１０６】
図６の液晶表示装置は、液晶セル１５１と１５２とを重ね合わせて構成され、液晶セル１５２側が、画像が表示される表示面（正面）となり、液晶セル１５１側が、その裏側の背面となる。
【０１０７】
したがって、表示部１１５として用いられる液晶表示装置は、液晶セル１５２を、客室HA1の室内側に向け、液晶セル１５１を、客室HA1の室外側（ホテルHAの外側）に向けて配置される。
【０１０８】
図６の液晶表示装置は、第１、第２、第３、及び第４の４つの状態になる。
【０１０９】
すなわち、図７は、図６の液晶表示装置の第１ないし第４の状態を示している。
【０１１０】
第１の状態では、図７Ａに示すように、液晶セル１５１及び１５２が、光透過状態となり、液晶セル１５２側から、液晶セル１５１側の景色を見ることができる。
【０１１１】
第２の状態では、図７Ｂに示すように、液晶セル１５１が、光散乱状態となり、液晶セル１５２が、画像信号に応じて、画素単位で、光透過状態、又は遮光状態となる。
【０１１２】
この場合、客室HA1の室外から、液晶セル１５１に入射する太陽光等の光が、液晶セル１５１で散乱されることにより、散乱光となり、液晶セル１５１を照明する光として利用される。
【０１１３】
そして、液晶セル１５２が、画像信号に応じて、画素単位で、光透過状態、又は遮光状態となることで、液晶セル１５１からの散乱光をバックライトとして、画像信号に対応する画像を表示する。
【０１１４】
第３の状態では、図７Ｃに示すように、液晶セル１５１が、光散乱状態となり、液晶セル１５２が、光透過状態となる。
【０１１５】
この場合、第２の状態と同様にして、液晶セル１５１で得られる散乱光が、液晶セル１５２を透過して、客室HA1の室内に入射する。したがって、液晶表示装置は、客室HA1の室内を照明する照明装置として機能する。
【０１１６】
第４の状態では、図７Ｄに示すように、液晶セル１５２が遮光状態となり、液晶表示装置は、室外からの光を遮光するカーテンやシャッタ等として機能する。
【０１１７】
なお、第４の状態では、液晶セル１５１は、光散乱状態、及び、光透過状態のうちのいずれであってもよい。
【０１１８】
また、第３の状態において、液晶セル１５２で光を透過させる画素の数を調整することにより、又は、第４の状態において、液晶セル１５２で遮光する画素の数を調整することにより、客室HA1の室内を照明する明るさを調整することができる。
【０１１９】
表示部１１５として用いられる液晶表示装置は、窓モードでは、第１の状態となる。また、表示部１１５として用いられる液晶表示装置は、画像表示モードでは、第２の状態となって、画像を表示する。
【０１２０】
なお、表示部１１５としては、図６の液晶表示装置の他、例えば、表示壁面をスクリーンとして、画像を表示するプロジェクタ等を採用することが可能である。
【０１２１】
次に、図８は、図４の街に適用される協業処理システムの第１の構成例を示している。
【０１２２】
図８において、協業処理システムは、複数の通信装置１０１及び１０２と、制御装置１０３とから構成される。
【０１２３】
通信装置１０１は、ホテルHAの客室HA1に設置されており、通信装置１０２は、客室HA1以外の、他の客室の１つである、例えば、ホテルHBの客室HB1（図４）に設置されている。
【０１２４】
なお、客室HA1以外のホテルHAの客室、客室HB1以外のホテルHBの客室、ホテルHCの各客室、及び、ホテルHDの各客室にも、通信装置１０１や１０２と同様の通信装置が設置されているが、その説明は、省略する。
【０１２５】
また、制御装置１０３は、ホテルHAないしHDとは独立した制御センタに設置することもできるし、例えば、通信装置１０１又は１０２と一体化して、ホテルHA又はHBに設置することもできる。
【０１２６】
さらに、制御装置１０３の機能は、通信装置１０１及び１０２、並びに、協業処理システムを構成するその他の通信装置が、分担して担当することができる。
【０１２７】
通信装置１０１は、撮像部１１１、指示部１１２、送信部１１３、受信部１１４、表示部１１５、及び切り替え部１１６から構成される。
【０１２８】
撮像部１１１は、図２のセンサ部３１に相当する。撮像部１１１は、画像を撮像し（光をセンシングし）、画像信号（第１の画像信号）を出力する。なお、撮像部１１１が出力する画像信号は、切り替え部１１６、及び、送出部１３２に供給される。
【０１２９】
指示部１１２は、図２の指示部３２に相当する。指示部１１２は、例えば、ユーザの操作等に応じて、通信装置１０２の撮像部１２１等の、他の通信装置の撮像部が出力する画像信号（第２の画像信号）等を指示する。すなわち、指示部１１２は、ユーザの操作等に応じて、他の通信装置の撮像部が出力する画像信号等の指示に対応する指示情報を生成し、送信部１１３に供給する。
【０１３０】
また、指示部１１２は、ユーザの操作等に応じて、必要な指示を表す指示情報を生成し、送信部１１３に供給する。
【０１３１】
送信部１１３は、図２の送信部３３に相当する。送信部１１３は、指示部１１２からの指示情報を、制御部１３１に送信するとともに、切り替え部１１６に供給する。
【０１３２】
受信部１１４は、図２のレシーブ部３４に相当する。受信部１１４は、他の通信装置の撮像部が出力する画像信号、すなわち、例えば、通信装置１０２の撮像部１２１が出力し、送出部１３３、及び、切り替え部１１６を介して送信されてくる画像信号を受信し、表示部１１５に供給する。
【０１３３】
また、受信部１１４は、撮像部１１１が出力する画像信号を、切り替え部１１６を介して受信し、表示部１１５に供給する。
【０１３４】
表示部１１５は、受信部１１４からの画像信号、すなわち、他の通信装置の撮像部が出力する画像信号、又は、撮像部１１１が出力する画像信号に対応する画像を表示する。
【０１３５】
切り替え部１１６は、送信部１１３からの指示情報に応じて、他の通信装置の撮像部が出力する画像信号、又は、撮像部１１１が出力する画像信号を選択し、受信部１１４に供給する。
【０１３６】
すなわち、切り替え部１１６には、撮像部１１１が出力する画像信号と、例えば、通信装置１０２の撮像部１２１が出力する画像信号等の、他の通信装置の撮像部が出力する画像信号とが供給される。
【０１３７】
さらに、切り替え部１１６には、送信部１１３から、指示情報が供給される。送信部１１３からの指示情報は、表示部１１５に表示すべき画像の画像信号の指示を表しており、切り替え部１１６は、その指示情報に応じて、他の通信装置の撮像部が出力する画像信号、又は、撮像部１１１が出力する画像信号を選択して、受信部１１４に供給する。
【０１３８】
なお、切り替え部１１６に対しては、他の通信装置の撮像部が出力する画像信号のうちの、通信装置１０２の撮像部１２１が出力する画像信号は、送出部１３３から送信されてくるようになっている。
【０１３９】
通信装置１０２は、通信装置１０１と同様に構成される。
【０１４０】
すなわち、通信装置１０２は、撮像部１１１、指示部１１２、送信部１１３、受信部１１４、表示部１１５、及び、切り替え部１１６とそれぞれ同様の撮像部１２１、指示部１２２、送信部１２３、受信部１２４、表示部１２５、及び、切り替え部１２６から構成される。
【０１４１】
なお、通信装置１０２において、撮像部１２１のセンサ出力としての画像信号は、送出部１３３に供給される。
【０１４２】
また、切り替え部１２６に対しては、他の通信装置の撮像部が出力する画像信号のうちの、通信装置１０１の撮像部１１１が出力する画像信号は、送出部１３２から送信されてくるようになっている。
【０１４３】
制御装置１０３は、制御部１３１、送出部１３２，１３３、及び、記憶部１３４から構成される。
【０１４４】
制御部１３１は、図２の制御部５１に相当する。制御部１３１は、通信装置１０１の送信部１１３から送信されてくる指示情報や、通信装置１０２の送信部１２３から送信されてくる指示情報等、さらには、記憶部１３４に記憶された情報に従い、送出部１３２や１３３によるセンサ出力としての画像信号の提供を制御する。
【０１４５】
送出部１３２は、図２の送出部５２に相当する。送出部１３２は、制御部１３１の制御に従い、通信装置１０１の撮像部１１１のセンサ出力としての画像信号を、通信装置１０１にとって他の通信装置（例えば、通信装置１０２や、協業処理システムを構成するその他の通信装置）に提供（送信）する。
【０１４６】
送出部１３３は、図２の送出部５３に相当する。送出部１３３は、制御部１３１の制御に従い、通信装置１０２の撮像部１２１のセンサ出力を、通信装置１０２にとって他の通信装置（例えば、通信装置１０１や、協業処理システムを構成するその他の通信装置）に提供する。
【０１４７】
記憶部１３４は、制御部１３１が処理を行う上で必要な情報を記憶する。
【０１４８】
なお、通信装置１０１の撮像部１１１が出力する画像信号を他の通信装置に提供する送出部１３２は、制御装置１０３ではなく、通信装置１０１に設けることが可能である。
【０１４９】
同様に、通信装置１０２の撮像部１２１が出力する画像信号を他の通信装置に提供する送出部１３３は、制御装置１０３ではなく、通信装置１０２に設けることが可能である。
【０１５０】
次に、図９を参照して、図８の通信装置１０１の処理について説明する。
【０１５１】
なお、通信装置１０２を含む、協業処理システムを構成する他の通信装置でも、通信装置１０１と同様の処理が行われる。
【０１５２】
図９Ａは、図８の通信装置１０１の処理を説明するフローチャートである。
【０１５３】
通信装置１０１では、ステップＳ１０１において、撮像部１１１が、画像を撮像し、画像信号を、送出部１３２に出力することを開始して、処理は、ステップＳ１０２に進む。
【０１５４】
ここで、送出部１３２は、撮像部１１１からの画像信号を受信し、必要に応じて、内蔵するメモリ（図示せず）に一時記憶する。さらに、送出部１３２は、制御部１３１の制御に従い、撮像部１１１からの画像信号（内蔵するメモリに記憶された画像信号を含む）を、通信装置１０２等の他の通信装置に送信する。
【０１５５】
ステップＳ１０２では、表示部１１５が、動作モードを窓モードとして、処理は、ステップＳ１０３に進む。すなわち、表示部１１５は、デフォルトの動作モードを、窓モードとする。
【０１５６】
ステップＳ１０３では、通信装置１０１が設置されたホテルHAの客室HA1（図４）のユーザが、動作モードを画像表示モードとするように操作を行ったかどうかを、指示部１１２が判定する。
【０１５７】
ステップＳ１０３において、ユーザが、動作モードを画像表示モードとするように操作を行っていないと判定された場合、処理は、ステップＳ１０２に戻る。
【０１５８】
また、ステップＳ１０３において、ユーザが、動作モードを画像表示モードとするように操作を行ったと判定された場合、処理は、ステップＳ１０４に進み、表示部１１５は、動作モードを画像表示モードとする。さらに、ステップＳ１０４では、表示部１１５や、図示せぬTV(Television)等のディスプレイが、画像表示モードで表示する画像の候補を表示して、処理は、ステップＳ１０５に進む。
【０１５９】
すなわち、制御部１３１は、送信部１１３から過去に送信されてきた指示情報に基づき、ユーザを識別するユーザID(Identification)と、そのユーザの操作に応じて表示部１１５に表示された画像のメタデータとを対応付けたテーブルを、記憶部１３４に記憶させている。
【０１６０】
一方、指示部１１２は、例えば、ホテルHAの従業員の操作、又は、客室HA1に宿泊するユーザの操作に応じて、そのユーザのユーザIDを指示する指示情報を生成し、動作モードとして、画像表示モードが指示された旨の情報を含めて、送信部１１３に供給する。
【０１６１】
送信部１１３は、指示部１１２からの指示情報を、制御部１３１に送信し、制御部１３１は、以上のようにして、送信部１１３から送信されてくる指示情報を受信する。
【０１６２】
さらに、制御部１３１は、送信部１１３からの指示情報が表すユーザID、つまり、客室HA1に宿泊するユーザのユーザIDが、記憶部１３４に記憶されたテーブルに登録されているかどうかを確認する。
【０１６３】
客室HA1に宿泊するユーザのユーザIDが、記憶部１３４に記憶されたテーブルに登録されている場合、すなわち、客室HA1に宿泊するユーザが、過去に、客室HA1、若しくは、ホテルHAのその他の客室、又は他のホテルHBないしHDの客室に宿泊したことがあり、その際に、ユーザが、表示部１１５等に表示させるのに選択した画像の履歴としての、そのユーザIDと画像のメタデータとのセットが、記憶部１３４のテーブルに登録されている場合、制御部１３１は、撮像部１１１が出力する画像信号を受信する送出部１３２、撮像部１２１が出力する画像信号を受信する送出部１３３、及び、その他の、同様の送出部に記憶されている画像信号から、客室HA1に宿泊するユーザのユーザIDと対応付けられているメタデータに一致するメタデータの画像信号を、１以上選択し、その画像信号に対応する画像を、画像表示モードで表示する画像の候補として、その候補の画像を配置した候補画面を生成する。
【０１６４】
ここで、図９Ｂは、候補画面の例を示している。
【０１６５】
候補画面では、例えば、画像表示モードで表示する画像の候補が縮小された状態で表示される。
【０１６６】
一方、客室HA1に宿泊するユーザのユーザIDが、記憶部１３４に記憶されたテーブルに登録されていない場合、及び、客室HA1に宿泊するユーザのユーザIDが、記憶部１３４に記憶されたテーブルに登録されているが、ユーザIDと対応付けられているメタデータに一致するメタデータの画像信号が、記憶部１３４に記憶されていない場合のうちのいずれかである場合、制御部１３１は、撮像部１１１が出力する画像信号を受信する送出部１３２、撮像部１２１が出力する画像信号を受信する送出部１３３、及び、その他の、同様の送出部に記憶されている画像信号から、例えば、画像表示モードで表示されることが多い上位複数個の画像信号を選択し、その複数個の画像信号に対応する画像を、画像表示モードで表示する画像の候補として、その候補の画像を配置した候補画面を生成する。
【０１６７】
制御部１３１は、以上のようにして生成した候補画面を、送出部１３３等を介して、通信装置１０１に送信する。通信装置１０１では、ステップＳ１０４において、以上のようにして制御部１３１から送信されてくる候補画面が、切り替え部１１６を介して、受信部１１４で受信され、表示部１１５で表示される。
【０１６８】
ステップＳ１０５では、指示部１１２は、客室HA1に宿泊するユーザが、候補画面の画像の中から、画像表示モードで表示する画像を選択する操作を行うのを待って、その画像を指示する指示情報を生成し、送信部１１３に供給する。
【０１６９】
さらに、ステップＳ１０５では、送信部１１３が、指示部１１２からの指示情報に、客室HA1に宿泊するユーザのユーザIDを含めて、制御部１３１に送信して、処理は、ステップＳ１０６に進む。
【０１７０】
この場合、制御部１３１は、送信部１１３からの指示情報を受信し、その指示情報が指示する画像のメタデータと、その指示情報に含まれるユーザIDとを対応付けて、記憶部１３４のテーブルに登録する。
【０１７１】
このように、記憶部１３４のテーブルに登録されたユーザID及びメタデータは、制御部１３１において、次に候補画面を生成するときに参照される。
【０１７２】
なお、画像のメタデータは、例えば、撮像部１１１等が出力する画像信号に含まれていることとする。
【０１７３】
制御部１３１は、さらに、指示部１１２からの指示情報が指示する画像の画像信号を記憶している送出部、すなわち、例えば、送出部１３３等を制御し、その画像信号を、通信装置１０１に送信させる。
【０１７４】
ステップＳ１０６では、受信部１１４が、送出部１３３等から送信されてくる画像信号を、切り替え部１１６を介して受信し、画像表示モードの表示部１１５に供給して表示させる。
【０１７５】
なお、客室HA1に宿泊するユーザは、その客室HA1から、現在眺めることができる景色の画像を、画像表示モードで表示する画像として選択する操作を行うことができる。
【０１７６】
客室HA1から、現在眺めることができる景色の画像を、画像表示モードで表示する画像として選択する操作がされた場合、指示部１１２は、客室HA1から、現在眺めることができる景色の画像を指示する指示情報を、送信部１１３を介して、切り替え部１１６に供給する。
【０１７７】
切り替え部１１６は、指示部１１２からの指示情報が、客室HA1から、現在眺めることができる景色の画像を指示している場合、撮像部１１１が出力する画像信号を選択して、受信部１１４に供給する。
【０１７８】
したがって、この場合、表示部１１５では、撮像部１１１が出力する画像信号に対応する画像、つまり、客室HA1から、現在眺めることができる景色の画像が表示される。
【０１７９】
一方、切り替え部１１６は、送信部１１３からの指示情報が、客室HA1から、現在眺めることができる景色の画像以外の画像を指示している場合には、制御装置１０３から送信されてくる画像信号を選択して、受信部１１４に供給する。
【０１８０】
この場合、表示部１１５では、客室HA1以外の、他の客室の通信装置の撮像部が出力する画像信号に対応する画像、つまり、他の客室から眺めることができる景色の画像が表示される。
【０１８１】
ステップＳ１０６の後、処理は、ステップＳ１０７に進み、ホテルHAの客室HA1のユーザが、動作モードを窓モードとするように操作を行ったかどうかを、指示部１１２が判定する。
【０１８２】
ステップＳ１０７において、ユーザが、動作モードを窓モードとするように操作を行ったと判定された場合、処理は、ステップＳ１０２に戻る。
【０１８３】
また、ステップＳ１０７において、ユーザが、動作モードを窓モードとするように操作を行っていないと判定された場合、処理は、ステップＳ１０８に進み、ホテルHAの客室HA1のユーザが、画像表示モードで表示する画像を変更するように操作を行ったかどうかを、指示部１１２が判定する。
【０１８４】
ステップＳ１０８において、ユーザが、画像表示モードで表示する画像を変更するように操作を行っていないと判定された場合、処理は、ステップＳ１０６に戻る。
【０１８５】
また、ステップＳ１０８において、ユーザが、画像表示モードで表示する画像を変更するように操作を行ったと判定された場合、指示部１１２は、客室HA1に宿泊するユーザのユーザIDを指示する指示情報を生成し、送信部１１３に供給して、処理は、ステップＳ１０４に戻る。
【０１８６】
以下、送信部１１３は、指示部１１２からの指示情報を、制御部１３１に送信し、制御部１３１は、送信部１１３から送信されてくる指示情報に基づき、上述したように、候補画面を生成して、通信装置１０１に送信する。ステップＳ１０４では、上述したように、制御部１３１からの候補画面が表示され、以下、同様の処理が繰り返される。
【０１８７】
なお、指示部１１２では、例えば、ユーザの操作等に応じて、所定の条件を満たす画像（の画像信号）を指示する指示情報を生成し、これにより、その所定の条件を満たす画像を、候補画面に表示する画像、又は、画像表示モードで表示する画像とすることが可能である。
【０１８８】
所定の条件としては、例えば、画像表示モードで表示する画像が、所定の時間に撮像が行われた画像であることや、所定のオブジェクトが含まれている画像であること等を採用することができる。
【０１８９】
例えば、指示部１１２において、ユーザの操作に応じて、画像表示モードで表示する画像として、早朝に撮像が行われた画像が指示された場合には、ユーザは、早朝以外の時刻に、早朝の景色を眺めること（早朝の景色の画像を見ること）ができる。
【０１９０】
また、例えば、指示部１１２において、ユーザの操作に応じて、画像表示モードで表示する画像として、海等の所定のオブジェクトが含まれる画像が指示された場合には、ユーザは、客室HA1からは眺めることができない海の景色を眺めることができる。
【０１９１】
さらに、指示部１１２は、いままでに、客室HA1に宿泊したユーザの操作に応じて過去に行った画像の指示に基づいて、画像表示モードで表示する画像を指示することができる。
【０１９２】
すなわち、例えば、指示部１１２では、いままでに、客室HA1に宿泊したユーザの操作に応じて過去に行った画像の指示の履歴に基づき、その指示の回数が多い上位複数個の画像を、画像表示モードで表示する画像の候補とすることを指示し、その指示に応じて制御部１３１が生成する候補画面の中から、画像表示モードで表示する画像を、ユーザの操作に応じて指示することができる。
【０１９３】
なお、画像の撮像が行われた時刻（撮像時刻）や、画像に含まれるオブジェクト等の情報は、画像のメタデータとして、撮像部１１１その他の撮像部が出力する画像信号に含まれていることとする。
【０１９４】
また、上述の場合には、ある街に建設されたホテルHAないしHDの客室に設置された通信装置の撮像部が出力する画像信号を、客室HA1に設置された通信装置１０１に送信し、通信装置１０１において、その画像信号に対応する画像を、表示部１１５で表示することとしたが、表示部１１５では、他の街で撮像された画像を表示することも可能である。
【０１９５】
すなわち、他の街で撮像された画像の画像信号を、通信装置１０１に送信し、通信装置１０１において、その画像信号に対応する画像を、表示部１１５で表示することが可能である。
【０１９６】
但し、図４の街から遠く離れた街（外国を含む）で撮像された景色の画像を、表示部１１５で表示する場合には、図４の街に宿泊しに来たユーザが、図４の街に宿泊しているという気分（感覚）を損ねることがあり得るので、図４の街から、あまり遠く離れた街については、その街で撮像された景色の画像は、表示部１１５に表示しないようにすることが望ましい。
【０１９７】
次に、図１０を参照して、図８の制御装置１０３の処理について説明する。
【０１９８】
制御装置１０３は、ステップＳ１２１において、協業処理システムを構成する通信装置の撮像部から、画像信号の供給が開始されるのを待って、その画像信号の受信を開始する。
【０１９９】
すなわち、通信装置１０１では、図９ＡのステップＳ１０１において、上述したように、撮像部１１１が、画像を撮像し、画像信号を、送出部１３２に出力することを開始する。
【０２００】
同様に、通信装置１０２でも、撮像部１２１が、画像を撮像し、画像信号を、送出部１３３に出力することを開始する。
【０２０１】
送出部１３２は、撮像部１１１が出力する画像信号を受信して記憶する。送出部１３３も、撮像部１２１が出力する画像信号を受信して記憶する。その他の通信装置の撮像部が出力する画像信号を受信する送出部（図示せず）も、同様に、画像信号を受信して記憶する。
【０２０２】
その後、例えば、図９ＡのステップＳ１０４で説明したように、動作モードとして、画像表示モードが指示された旨の情報を含む指示情報が、通信装置１０１の送信部１１３から制御部１３１に送信されてくるのを待って、処理は、ステップＳ１２１からステップＳ１２２に進み、制御部１３１は、送信部１１３からの指示情報を受信して、処理は、ステップＳ１２３に進む。
【０２０３】
ステップＳ１２３では、制御部１３１は、ステップＳ１２２で受信した指示情報に従い、図９で説明したように、候補画面（図９Ｂ）を生成し、その候補画面を通信装置１０１に送信するように、例えば、送出部１３３を制御する。
【０２０４】
その後、例えば、図９ＡのステップＳ１０５で説明したように、候補画面の画像の中から、画像表示モードで表示する画像を選択するユーザの操作に応じて生成された指示情報が、通信装置１０１の送信部１１３から制御部１３１に送信されてくるのを待って、処理は、ステップＳ１２３からステップＳ１２４に進み、制御部１３１は、送信部１１３からの指示情報を受信して、処理は、ステップＳ１２５に進む。
【０２０５】
ステップＳ１２５では、制御部１３１は、ステップＳ１２４で受信した指示情報に従い、その指示情報によって指示される画像の画像信号を送信するように、例えば、送出部１３３を制御して、処理は、ステップＳ１２２に戻る。
【０２０６】
送出部１３３は、制御部１３１の制御に従い、指示情報によって指示される画像の画像信号として、例えば、撮像部１２１等が出力する画像信号を、通信装置１０１に送信する。
【０２０７】
次に、図１１は、図４の街に適用される協業処理システムの第２の構成例を示している。
【０２０８】
なお、図中、図８の場合と対応する部分については、同一の符号を付してあり、以下では、その説明は、適宜省略する。
【０２０９】
すなわち、図１１において、協業処理システムは、送出部１３２が、制御装置１０３ではなく、通信装置１０１に設けられているとともに、送出部１３３が、制御装置１０３ではなく、通信装置１０２に設けられていることを除いて、図８の場合と同様に構成されている。
【０２１０】
次に、図１２を参照して、図１１の通信装置１０１の処理について説明する。
【０２１１】
図１２Ａは、図１１の通信装置１０１の処理を説明するフローチャートである。
【０２１２】
図１１の通信装置１０１では、ステップＳ１３１ないしＳ１３８において、図９ＡのステップＳ１０１ないしＳ１０８と、それぞれ同様の処理が行われる。
【０２１３】
すなわち、通信装置１０１では、ステップＳ１３１において、撮像部１１１が、画像を撮像し、画像信号を、送出部１３２に出力することを開始して、処理は、ステップＳ１３２に進む。
【０２１４】
ここで、送出部１３２は、撮像部１１１からの画像信号を受信して記憶する。
【０２１５】
ステップＳ１３２では、図９ＡのステップＳ１０２と同様に、表示部１１５が、動作モードを窓モードとして、処理は、ステップＳ１３３に進む。
【０２１６】
ステップＳ１３３では、図９ＡのステップＳ１０３と同様に、ホテルHAの客室HA1（図４）のユーザが、動作モードを画像表示モードとするように操作を行ったかどうかを、指示部１１２が判定する。
【０２１７】
ステップＳ１３３において、ユーザが、動作モードを画像表示モードとするように操作を行っていないと判定された場合、処理は、ステップＳ１３２に戻る。
【０２１８】
また、ステップＳ１３３において、ユーザが、動作モードを画像表示モードとするように操作を行ったと判定された場合、ステップＳ１３４に進み、図９ＡのステップＳ１０４と同様に、表示部１１５は、動作モードを画像表示モードとして、画像表示モードで表示する画像の候補が配置された候補画面を表示して、処理は、ステップＳ１３５に進む。
【０２１９】
ここで、図１２Ｂは、ステップＳ１３４で表示される候補画面の例を示している。
【０２２０】
図１２Ｂの候補画面は、図９Ｂの候補画面と同様であり、その説明は省略する。
【０２２１】
その後、通信装置１０１では、ステップＳ１３５ないしＳ１３８において、図９ＡのステップＳ１０５ないしＳ１０８と、それぞれ同様の処理が行われる。
【０２２２】
次に、図１３を参照して、図１１の制御装置１０３の処理について説明する。
【０２２３】
制御装置１０３では、図１０のステップＳ１２２ないしＳ１２５と同様の処理が行われる。
【０２２４】
すなわち、制御装置１０３では、図１０の場合と同様に、動作モードとして、画像表示モードが指示された旨の情報を含む指示情報が、例えば、通信装置１０１の送信部１１３等から送信されてくるのを待って、ステップＳ１５１において、制御部１３１は、送信部１１３からの指示情報を受信して、処理は、ステップＳ１５２に進む。
【０２２５】
ステップＳ１５２では、制御部１３１は、ステップＳ１５１で受信した指示情報に従い、候補画面（図１２Ｂ）を生成し、その候補画面を送信するように、例えば、送出部１３３を制御する。
【０２２６】
その後、候補画面の画像の中から、画像表示モードで表示する画像を選択するユーザの操作に応じて生成された指示情報が、通信装置１０１の送信部１１３から送信されてくるのを待って、処理は、ステップＳ１５２からステップＳ１５３に進み、制御部１３１は、送信部１１３からの指示情報を受信して、処理は、ステップＳ１５４に進む。
【０２２７】
ステップＳ１５４では、制御部１３１は、ステップＳ１５３で受信した指示情報に従い、その指示情報によって指示される画像の画像信号を送信するように、例えば、送出部１３３を制御して、処理は、ステップＳ１５１に戻る。
【０２２８】
送出部１３３は、制御部１３１の制御に従い、指示情報によって指示される画像の画像信号として、撮像部１２１が出力する画像信号、又は、記憶部１３４に記憶された画像信号を、通信装置１０１に送信する。
【０２２９】
なお、制御部１３１は、通信装置１０１の他、通信装置１０２、及び、協業処理システムを構成するその他の通信装置を対象として、図１０や図１３の処理を行う。
【０２３０】
次に、図１４は、図４の街に適用される協業処理システムの第３の構成例を示している。
【０２３１】
図１４において、協業処理システムは、複数の通信装置２０１及び２０２と、制御装置２０３とから構成される。
【０２３２】
通信装置２０１は、ホテルHAの客室HA1に設置されており、通信装置２０２は、客室HA1以外の、他の客室の１つである、例えば、ホテルHBの客室HB1（図４）に設置されている。
【０２３３】
なお、客室HA1以外のホテルHAの客室、客室HB1以外のホテルHBの客室、ホテルHCの各客室、及び、ホテルHDの各客室にも、通信装置２０１や２０２と同様の通信装置が設置されているが、その説明は、省略する。
【０２３４】
また、制御装置２０３は、ホテルHAないしHDとは独立した制御センタに設置することもできるし、例えば、通信装置２０１又は２０２と一体化して、ホテルHA又はHBに設置することもできる。
【０２３５】
さらに、制御装置２０３の機能は、通信装置２０１及び２０２、並びに、協業処理システムを構成するその他の通信装置が、分担して担当することができる。
【０２３６】
通信装置２０１は、集光部２１１、指示部２１２、送信部２１３、及び、受光部２１４から構成される。
【０２３７】
集光部２１１は、図２のセンサ部３１に相当する。集光部２１１は、太陽光を集光し（光をセンシングし）、配光部２３２に入射させる（供給する）。
【０２３８】
指示部２１２は、図２の指示部３２に相当する。指示部２１２は、例えば、ユーザの操作等に応じて、他の通信装置２０２が有する集光部２２１のセンサ出力である光等を指示する。すなわち、指示部２１２は、ユーザの操作等に応じて、他の通信装置２０２が有する集光部２２１の光等の指示に対応する指示情報を生成し、送信部２１３に供給する。
【０２３９】
送信部２１３は、図２の送信部３３に相当する。送信部２１３は、指示部２１２からの指示情報を、制御部２３１に送信する。
【０２４０】
受光部２１４は、図２のレシーブ部３４に相当する。受光部２１４は、制御部２３１に送信された指示情報に応じて指示されるセンサ出力、すなわち、例えば、他の通信装置２０２が有する集光部２２１が出力する光を、その光を提供する配光部２３３から受光する。
【０２４１】
通信装置２０２は、通信装置２０１と同様に構成される。
【０２４２】
すなわち、通信装置２０２は、集光部２１１、指示部２１２、送信部２１３、及び、受光部２１４とそれぞれ同様の集光部２２１、指示部２２２、送信部２２３、及び、受光部２２４から構成される。
【０２４３】
なお、通信装置２０２において、集光部２２１のセンサ出力である光は、配光部２３３に供給される。また、受光部２２４は、制御部２３１に送信された指示情報に応じて指示されるセンサ出力である、例えば、通信装置２０１の集光部２１１で集光された光を、配光部２３２から受ける。
【０２４４】
制御装置２０３は、制御部２３１、配光部２３２及び２３３から構成される。
【０２４５】
制御部２３１は、図２の制御部５１に相当する。制御部２３１は、通信装置２０１の送信部２１３から送信されてくる指示情報や、通信装置２０２の送信部２２３から送信されてくる指示情報に従い、配光部２３２や２３３によるセンサ出力、つまり、集光部２１１で集光された光や、集光部２２１で集光された光の提供を制御する。
【０２４６】
配光部２３２は、図２の送出部５２に相当する。配光部２３２は、制御部２３１の制御に従い、通信装置２０１の集光部２２１で集光された光を、通信装置２０１にとって他の通信装置（例えば、通信装置２０２や、協業処理システムを構成するその他の通信装置）に提供（送出）する。
【０２４７】
配光部２３３は、図２の送出部５３に相当する。配光部２３３は、制御部２３１の制御に従い、通信装置２０２の集光部２２１で集光された光を、通信装置２０２にとって他の通信装置（例えば、通信装置２０１や、協業処理システムを構成するその他の通信装置）に提供する。
【０２４８】
以上のように構成される協業処理システムでは、ホテルHAの客室HA1に設置された通信装置２０１の集光部２１１で集光された光が、配光部２３２に入射されるとともに、ホテルHBの客室HB1に設置された通信装置２０２の集光部２２１で集光された光が、配光部２３３に入射される。
【０２４９】
その後、例えば、客室HA1のユーザが、画像の表示や、照明の明るさ等を指示するように、操作を行うと、指示部２１２は、ユーザの操作に応じて、例えば、通信装置２０２の集光部２２１で集光される光を指示する指示情報を生成し、送信部２１３に供給する。
【０２５０】
送信部２１３は、指示部２１２からの指示情報を、制御部２３１に送信する。
【０２５１】
制御部２３１は、通信装置２０１の送信部２１３から送信されてくる指示情報を受信し、その指示情報に応じて、通信装置２０１への光の提供を制御する。
【０２５２】
すなわち、制御部２３１は、例えば、通信装置２０２の集光部２２１で集光された光が入射されている配光部２３３を制御し、集光部２２１で集光された光を、通信装置２０１に提供させる。
【０２５３】
通信装置２０１では、受光部２１４が、配光部２３３から提供される光を受光する。
【０２５４】
通信装置２０１の受光部２１４で受光された光は、客室HA1において、画像の表示や、照明の明るさを調整するのに利用される。
【０２５５】
したがって、ホテルHAとHBのうちの、例えば、ホテルHBの方が、より陽当たりが良好である場合には、ホテルHBで集光された光を、ホテルHAに分け与え、これにより、ホテルHA及びHBのいずれにおいても、光について、同様の環境を提供することができる。
【０２５６】
なお、通信装置２０１の集光部２１１で集光された光を他の通信装置に提供する配光部２３２は、制御装置２０３ではなく、通信装置２０１に設けることが可能である。
【０２５７】
同様に、通信装置２０２の集光部２２１で集光された光を他の通信装置に提供する配光部２３３は、制御装置２０３ではなく、通信装置２０２に設けることが可能である。
【０２５８】
また、集光部２１１は、客室HA1に１つ設ける他、ホテルHAの複数の客室に１つ設けることや、ホテルHAに１つ設けることが可能である。集光部２２１も同様である。
【０２５９】
次に、図１５は、図４の街に適用される協業処理システムの第４の構成例を示している。
【０２６０】
図１５において、協業処理システムは、複数の通信装置３０１及び３０２と、制御装置３０３とから構成される。
【０２６１】
通信装置３０１は、ホテルHAの客室HA1（図４）に設置されており、通信装置３０２は、客室HA1以外の、他の客室の１つである、例えば、ホテルHBの客室HB1に設置されている。
【０２６２】
なお、客室HA1以外のホテルHAの客室、客室HB1以外のホテルHBの客室、ホテルHCの各客室、及び、ホテルHDの各客室にも、通信装置３０１や３０２と同様の通信装置が設置されているが、その説明は、省略する。
【０２６３】
また、制御装置３０３は、ホテルHAないしHDとは独立した制御センタに設置することもできるし、例えば、通信装置３０１又は３０２と一体化して、ホテルHA又はHBに設置することもできる。
【０２６４】
さらに、制御装置３０３の機能は、通信装置３０１及び３０２、並びに、協業処理システムを構成するその他の通信装置が、分担して担当することができる。
【０２６５】
通信装置３０１は、集光部３１１、指示部３１２、送信部３１３、受光部３１４、表示部３１５、蓄電部３１６、光量検出部３１７、及び、配光部３３２から構成される。
【０２６６】
集光部３１１は、図２のセンサ部３１に相当する。集光部３１１は、太陽光を集光し（光をセンシングし）、配光部３３２に入射させる（供給する）。
【０２６７】
指示部３１２は、図２の指示部３２に相当する。指示部３１２は、例えば、ユーザの操作や、光量検出部３１７で検出された光量等に応じて、所定の指示を行う。すなわち、指示部３１２は、ユーザの操作や、光量検出部３１７で検出された光量等に応じて、所定の指示を行う指示情報を生成し、送信部３１３に供給する。
【０２６８】
送信部３１３は、図２の送信部３３に相当する。送信部３１３は、指示部３１２からの指示情報を、制御部３３１に送信する。
【０２６９】
受光部３１４は、図２のレシーブ部３４に相当する。受光部３１４は、制御部３３１に送信された指示情報に応じて指示されるセンサ出力、すなわち、例えば、他の通信装置３０２が有する集光部３２１が出力する光を、その光を提供する配光部３３３から受光し、表示部３１５に供給する。
【０２７０】
また、受光部３１４は、配光部３３２から提供される光を受光し、表示部３１５に供給する。
【０２７１】
表示部３１５は、受光部３１４からの光等を利用して、画像を表示し、また、客室HA1の室内を照明する。
【０２７２】
蓄電部３１６は、配光部３３２から供給される光を用いて、光発電（シリコン半導体の光電効果を利用した、光エネルギを電気エネルギに変換する技術）を行うことにより得られる電気（電力）を蓄電する。蓄電部３１６で蓄電された電力は、必要に応じて、画像の表示や、客室HA1の室内の照明、その他を行う電気製品で使用される。
【０２７３】
光量検出部３１７は、集光部３１１で集光された光の光量を検出し、指示部３１２に供給する。
【０２７４】
配光部３３２は、図２の送出部５２に相当する。配光部３３２は、制御部３３１の制御に従い、通信装置３０１の集光部３１１で集光された光を、通信装置３０１にとって他の通信装置（例えば、通信装置３０２や、協業処理システムを構成するその他の通信装置）、受光部３１４、又は、蓄電部３１６に提供（分配）する配光を行う。
【０２７５】
通信装置３０２は、通信装置３０１と同様に構成される。
【０２７６】
なお、図１５では、通信装置３０２を構成するブロックとして、集光部３１１、指示部３１２、送信部３１３、受光部３１４、及び、配光部３３２にそれぞれ対応する集光部３２１、指示部３２２、送信部３２３、受光部３２４、及び、配光部３３３しか図示していないが、通信装置３０２には、表示部３１５、蓄電部３１６、及び、光量検出部３１７に対応するブロックも設けられる。
【０２７７】
但し、通信装置３０２等の、協業処理システムを構成する複数の送信装置のうちの、すべてではない１以上の通信装置は、表示部３１５、蓄電部３１６、及び、光量検出部３１７に対応するブロックを設けずに構成することが可能である。
【０２７８】
制御装置３０３は、制御部３３１から構成される。
【０２７９】
制御部３３１は、図２の制御部５１に相当する。制御部３３１は、通信装置３０１の送信部３１３から送信されてくる指示情報や、通信装置３０２の送信部３２３から送信されてくる指示情報等に従い、配光部３３２や３３３によるセンサ出力、つまり、集光部３１１で集光された光や、集光部３２１で集光された光の提供を制御する。
【０２８０】
なお、通信装置３０１の集光部３１１で集光された光を他の通信装置に提供する配光部３３２は、通信装置３０１ではなく、制御装置３０３に設けることが可能である。
【０２８１】
同様に、通信装置３０２の集光部３１１で集光された光を他の通信装置に提供する配光部３３３は、通信装置３０２ではなく、制御装置３０３に設けることが可能である。
【０２８２】
また、集光部３１１は、客室HA1に１つ設ける他、ホテルHAの複数の客室に１つ設けることや、ホテルHAに１つ設けることが可能である。集光部３２１も同様である。
【０２８３】
次に、図１６は、図１５の通信装置３０１が設置された客室HA1の構成例を示す断面図である。
【０２８４】
集光部３１１は、ホテルHAの屋根、又は屋上等の陽当たりの良好な位置に設置されている。
【０２８５】
集光部３１１は、図１５で説明したように、太陽光を集光し、その集光によって得られた光を、配光部３３２に供給する。
【０２８６】
なお、光量検出部３１７が、集光部３１１で集光された光の光量を検出することができる位置に取り付けられている。
【０２８７】
配光部３３２は、平板状の反射板３４２Ｌ及び３４２Ｒから構成され、集光部３１１で集光された光を、他の通信装置、採光部３４５、又は、ソーラーパネル３４１に配光（分配）する。
【０２８８】
すなわち、図１６においては、配光部３３２の左側に、他の通信装置と結ばれる光ファイバ３４３が設けられており、配光部３３２の下側に、採光部３４５が設けられている。また、配光部３３２の右側に、ソーラーパネル３４１が設けられている。
【０２８９】
配光部３３２は、集光部３１１で集光された光を、他の通信装置に配光する場合には、集光部３１１で集光された光を左側に反射し、これにより、集光部３１１で集光された光を、光ファイバ３４３を介して、例えば、通信装置３０２の受光部３２４（図１５）等の他の通信装置の受光部に出射（提供）する。
【０２９０】
また、配光部３３２は、集光部３１１で集光された光を採光部３４５に配光する場合には、集光部３１１で集光された光を下側に通過させ、これにより、集光部３１１で集光された光を採光部３４５に出射する。
【０２９１】
さらに、配光部３３２は、集光部３１１で集光された光を、ソーラーパネル３４１に配光する場合には、集光部３１１で集光された光を右側に反射し、これにより、集光部３１１で集光された光を、ソーラーパネル３４１に出射する。
【０２９２】
ここで、ソーラーパネル３４１は、配光部３３２からの光を用いて、光発電を行い、その結果得られる電気（電力）を、蓄電部３１６に供給する。蓄電部３１６は、以上のようにしてソーラーパネル３４１から供給される電力を蓄電する。
【０２９３】
採光部３４５は、平板状の光出力パネル３４６と、同じく平板状の表示部３１５とを、その間に、空隙を形成するように重ねることで構成される。すなわち、採光部３４５は、光出力パネル３４６と表示部３１５とで、空隙を、いわばサンドイッチした構造になっている。
【０２９４】
そして、採光部３４５は、配光部３３２の下側に設けられており、客室HA1の、実際の山の景色を眺めることができる方の壁面を構成している。
【０２９５】
なお、採光部３４５は、表示部３１５が、客室HA1の室内側を向き、光出力パネル３４６が、客室HA1の室外側（外側）を向くように設置されている。
【０２９６】
採光部３４５は、採光を行い、その採光によって得られた光を利用して、画像の表示や、客室HA1の室内の照明等を行う。
【０２９７】
すなわち、採光部３４５の空隙には、配光部３３２から配光される光が入射する。さらに、採光部３４５の空隙には、通信装置３０２の集光部３２１（図１５）で集光され、配光部３３３から配光される光等の、他の通信装置から配光される光が、光ファイバ３４４を介して入射する。
【０２９８】
ここで、採光部３４５の空隙に入射する光は、例えば、平行光になっていることとする。
【０２９９】
光出力パネル３４６は、表示部３１５で画像を表示する等ための光としての散乱光を、表示部３１５に出射する。
【０３００】
すなわち、光出力パネル３４６は、採光部３４５の空隙に入射する光（平行光）を散乱し、その結果得られる散乱光を、表示部３１５に出射する。
【０３０１】
また、光出力パネル３４６は、自らも発光し、その光を散乱して、表示部３１５に出射する。
【０３０２】
表示部３１５は、例えば、図６及び図７で説明した液晶表示装置で構成され、光出力パネル３４６が射出する光（散乱光）を、バックライトとして、画像を表示する。また、表示部３１５は、光出力パネル３４６が射出する光が客室HA1の室内に入射する光量を、図７で説明したようにして調整することで、照明装置としても機能する。
【０３０３】
ここで、以下、適宜、表示部３１５が画像を表示する動作モードを、画像モードといい、表示部３１５を照明装置として機能させる動作モードを、照明モードともいう。
【０３０４】
なお、客室HA1には、表示部３１５が画像モードで動作する採光部３４５と、表示部３１５が照明モードで動作する採光部３４５との２つを設けることができる。
【０３０５】
次に、図１６の集光部３１１としては、特開平09-270204号公報に記載の、太陽光採光装置を用いることができる。
【０３０６】
図１７は、集光部３１１として用いられる太陽光採光装置の構成例を示している。
【０３０７】
図１７において、太陽光採光装置３８０は、建物の屋根（屋上）等に配設され、矢印Ａにて示す太陽光を多数のレンズが配設されているレンズホルダ３７２を通すことによって集光し、集光した太陽光を反射板３７３によって反射して矢印Ｂにて示す方向に導いて建物内に導く。
【０３０８】
図１８は、図１７の太陽光採光装置３８０の、より詳細な構成例を示す図である。
【０３０９】
いま、太陽光採光装置３８０が太陽光を受光する太陽光受光面を、正面ということとすると、図１８Ａは、太陽光採光装置３８０を正面から見た正面図であり、図１８Ｂは、太陽光採光装置３８０を側面から見た側面図である。
【０３１０】
レンズホルダ３７２は、多数であるN枚のレンズ３７１1，３７１2，３７１3，・・・，３７１Nを保持しており、各レンズ３７１n(n=1,2,・・・,N)で、太陽光を集光する。
【０３１１】
反射板３７３は、レンズホルダ３７２の後方に設けられており、レンズ３７１nが集光した光を反射して、建物内（配光部３３２）に導く。
【０３１２】
なお、レンズホルダ３７２は、水平軸３７６のまわりに回転可能にレンズホルダ支持部材３７７に回転自在に保持されている。
【０３１３】
そして、レンズホルダ３７２は、モータ３７４によって、歯車３７５1及び３７５2を経由して駆動され、水平軸３７６を中心に回転（回動）する。
【０３１４】
これにより、レンズホルダ３７２は、朝方や夕方等の、太陽が低いときには、図１８Ｂに実線にて示すような状態になって、レンズ３７１nによって太陽光Ｌ1を集光し、反射板３７３によって反射して建物内に導き、昼間等の、太陽が高いときには、鎖線で示すような状態となって、レンズ３７１nによって太陽光Ｌ2を集光し、反射板３７３によって反射して建物内に導く。
【０３１５】
レンズホルダ支持部材３７７は、回転基台３７８に一体的に取り付けられており、その回転基台３７８のローラ３８２が、円筒状の固定基台３７９のレール３７９ａの上に回転自在に搭載され、モータ３８１により、垂直軸Ｙ−Ｙのまわりに回転されるようになっている。
【０３１６】
センサ３８３は、太陽の方向を検出する。センサ３８３によって検出された太陽の方向に基づいて、モータ３７４及び３８１が制御され、これにより、レンズホルダ３７２のレンズ３７１nの面（光軸と垂直な面）が、太陽の方向を向くように制御される。
【０３１７】
次に、図１９は、図１６の採光部３４５の構成例を示す断面図である。
【０３１８】
図１６で説明したように、採光部３４５は、客室HA1の室内側に配置される表示部３１５と、室外側（外側）に配置される光出力パネル３４６とから構成される。
【０３１９】
そして、図１９では、光出力パネル３４６は、平板状のバックライト部３５１と、同じく平板状の受光部３１４とを重ね合わせて構成されている。
【０３２０】
なお、バックライト部３５１は、客室HA1の室外側に配置され、受光部３１４は、室内側（表示部３１５側）に配置される。
【０３２１】
図１９において、受光部３１４は、例えば、表示部３１５と同様に、図６及び図７で説明した液晶表示装置で構成される。
【０３２２】
また、バックライト部３５１は、蓄電部３１６で蓄電された電力を電源として、バックライトとなる光を発する。
【０３２３】
表示部３１５は、採光部３４５の採光によって得られた光、又は、バックライト部３５１が発する光をバックライトとして、画像を表示し、また、照明装置として機能する。
【０３２４】
表示部３１５が、採光部３４５の採光によって得られた光をバックライトとして、画像を表示する場合においては、受光部３１４としての液晶表示装置は、液晶セル１５２（図６）が遮光状態となる第４の状態（図７Ｄ）となる。
【０３２５】
そして、受光部３１４は、バックライト部３５１側から入射する光を遮断するとともに、配光部３３２から入射する光や、他の通信装置から光ファイバ３４４を介して入射する光を受光して、表示部３１５側に反射する。
【０３２６】
また、表示部３１５としての液晶表示装置は、液晶セル１５１（図６）が光散乱状態となり、かつ、液晶セル１５２が、画像信号に応じて、画素単位で、光透過状態、又は遮光状態となる第２の状態（図７Ｂ）となる。
【０３２７】
そして、表示部３１５は、光散乱状態の液晶セル１５１で、受光部３１４で反射された光や、配光部３３２から入射する光、他の通信装置から光ファイバ３４４を介して入射する光を散乱し、その散乱によって得られる散乱光の透過（遮断）を、液晶セル１５２で制御することにより、画像を表示する。
【０３２８】
一方、表示部３１５が、バックライト部３５１が発する光をバックライトとして、画像を表示する場合においては、受光部３１４としての液晶表示装置は、液晶セル１５１（図６）が光散乱状態となり、かつ、液晶セル１５２が光透過状態となる第３の状態（図７Ｃ）となる。
【０３２９】
そして、受光部３１４は、バックライト部３５１側から入射する光を散乱し、表示部３１５に出射する。
【０３３０】
表示部３１５としての液晶表示装置は、例えば、上述の場合と同様に、第２の状態（図７Ｂ）となって、受光部３１４からの光をバックライトとして、画像を表示する。
【０３３１】
次に、図２０は、図１６の採光部３４５の他の構成例を示す図である。
【０３３２】
すなわち、図２０Ａは、図１６の採光部３４５の他の構成例を示す断面図である。
【０３３３】
図２０Ａでは、光出力パネル３４６を構成する受光部３１４が、図６の液晶表示装置ではなく、２つの３角柱状のプリズム３６３及び３６４で構成されている。
【０３３４】
さらに、図２０Ａでは、採光部３４５の、光ファイバ３４４側に、レンズ３６１が設けられているとともに、配光部３３２（図１６）側に、レンズ３６２が設けられている。
【０３３５】
レンズ３６１は、他の通信装置から光ファイバ３４４を介して採光部３４５に入射する光（平行光）を、プリズム３６３上に集光する。レンズ３６２は、配光部３３２から採光部３４５に入射する光を、プリズム３６４上に集光する。
【０３３６】
３角柱状のプリズム３６３は、その側面の１つがバックライト部３５１に接するように配置されており、レンズ３６１からの光を受光し、表示部３１５側に反射する。
【０３３７】
３角柱状のプリズム３６４も、その側面の１つがバックライト部３５１に接するように配置されており、レンズ３６２からの光を受光し、表示部３１５側に反射する。
【０３３８】
なお、プリズム３６３は、バックライト部３５１の上下の中点側に、側面の他の１つを向けて、バックライト部３５１の光ファイバ３４４寄りの位置に配置されている。
【０３３９】
また、プリズム３６４は、バックライト部３５１の上下の中点側に、側面の他の１つを向けて、バックライト部３５１の配光部３３２（図１６）寄りの位置に配置されている。
【０３４０】
図２０Ｂは、表示部３１５側から見たプリズム３６３の構成例を示している。
【０３４１】
プリズム３６３の、レンズ３６１からの光が集光される面には、例えば、円形状の反射板が設けられており、その反射板で、レンズ３６１からの光が受光、反射される。
【０３４２】
プリズム３６３の反射板については、バックライト部３５１の上下の中点側の反射板ほど、面積が大になっており、したがって、バックライト部３５１の上下の中点側の反射板ほど、多くの光量の光が反射される。
【０３４３】
すなわち、図２０Ｃは、プリズム３６３で反射される光の光量を模式的に示している。
【０３４４】
図２０Ｃに示すように、プリズム３６３では、バックライト部３５１の上下の中点側に近い位置ほど、多くの光量が反射される。
【０３４５】
なお、プリズム３６４も、プリズム３６３と同様に構成される。
【０３４６】
以上のように構成される採光部３４５においても、表示部３１５は、採光部３４５の採光によって得られた光、又は、バックライト部３５１が発する光をバックライトとして、画像を表示し、また、照明装置として機能する。
【０３４７】
表示部３１５が、採光部３４５の採光によって得られた光をバックライトとして、画像を表示する場合においては、受光部３１４としてのプリズム３６３が、他の通信装置から光ファイバ３４４を介して入射し、レンズ３６１で集光される光を受光して、表示部３１５側に反射する。
【０３４８】
さらに、受光部３１４としてのプリズム３６４が、配光部３３２から入射し、レンズ３６２で集光される光を受光して、表示部３１５側に反射する。
【０３４９】
また、表示部３１５としての液晶表示装置は、液晶セル１５１（図６）が光散乱状態となり、かつ、液晶セル１５２が、画像信号に応じて、画素単位で、光透過状態、又は遮光状態となる第２の状態（図７Ｂ）となる。
【０３５０】
そして、表示部３１５は、光散乱状態の液晶セル１５１で、受光部３１４としてのプリズム３６３及び３６４で反射された光を散乱し、その散乱によって得られる散乱光の透過（遮断）を、液晶セル１５２で制御することにより、画像を表示する。
【０３５１】
一方、表示部３１５が、バックライト部３５１が発する光をバックライトとして、画像を表示する場合においては、バックライト部３５１が発する光が、表示部３１５に入射する。
【０３５２】
そして、表示部３１５としての液晶表示装置は、例えば、上述の場合と同様に、第２の状態（図７Ｂ）となって、バックライト部３５１からの光をバックライトとして、画像を表示する。
【０３５３】
次に、図２１を参照して、図１６の配光部３３２の動作について説明する。
【０３５４】
配光部３３２は、図１６で説明したように、平板状の反射板３４２Ｌ及び３４２Ｒから構成され、集光部３１１で集光された光を、他の通信装置、採光部３４５、又は、ソーラーパネル３４１に配光（分配）（提供）する（導く）。
【０３５５】
ここで、以下、配光部３３２が、集光部３１１で集光された光を、採光部３４５に提供する動作モードを、表示モードと、他の通信装置に提供する動作モードを、配光モードと、ソーラーパネル３４１に提供する動作モードを、蓄電モードと、それぞれいう。
【０３５６】
図２１Ａは、表示モードの配光部３３２の状態を示している。
【０３５７】
配光部３３２を構成する平板状の反射板３４２Ｌ及び３４２Ｒは、例えば、採光部３４５（図１６）の空隙と同様の間隔をあけて配置されている。
【０３５８】
さらに、反射板３４２Ｌは、配光部３３２の、室外側の光出力パネル３４６（図１６）の延長線上に沿って、光出力パネル３４６の上側に配置されており、反射板３４２Ｒは、配光部３３２の、室内側の表示部３１５（図１６）の延長線上に沿って、表示部３１５の上側に配置されている。
【０３５９】
また、平板状の反射板３４２Ｌ及び３４２Ｒは、図中、上側の、奥行き方向に延びる軸を回転軸として、回転可能になっている。
【０３６０】
表示モードでは、配光部３３２を構成する反射板３４２Ｌ及び３４２Ｒは、それぞれ、光出力パネル３４６（図１６）、及び、表示部３１５と平行な状態に回転され、これにより、集光部３１１で集光された光を、下側に位置する採光部３４５に提供する（導く）。
【０３６１】
採光部３４５では、このようにして配光部３３２から提供される光を利用して、図１９や図２０で説明したようにして、表示部３１５での画像の表示等が行われる。
【０３６２】
図２１Ｂは、配光モードの配光部３３２の状態を示している。
【０３６３】
配光モードでは、配光部３３２を構成する反射板３４２Ｌ及び３４２Ｒのうちの、右側の反射板３４２Ｒが、集光部３１１で集光された光を、左側の光ファイバ３４３側に反射するように回転されるとともに、左側の反射板３４２Ｌが、反射板３４２Ｒで反射された光の、光ファイバ３４３への入射を妨げないように回転される。
【０３６４】
これにより、集光部３１１で集光された光は、反射板３４２Ｒで左側に反射され、光ファイバ３４３に入射する。
【０３６５】
通信装置３０２（図１５）等の、他の通信装置が配光モードとなって、その、他の通信装置で集光された光が、光ファイバ３４４（図１６）を介して、通信装置３０１の採光部３４５（図１６）に提供される場合には、採光部３４５では、その、他の通信装置から提供される光を利用して、図１９や図２０で説明したようにして、表示部３１５での画像の表示等が行われる。
【０３６６】
図２１Ｃは、蓄電モードの配光部３３２の状態を示している。
【０３６７】
蓄電モードでは、配光部３３２を構成する反射板３４２Ｌ及び３４２Ｒのうちの、左側の反射板３４２Ｌが、集光部３１１で集光された光を、右側のソーラーパネル３４１側に反射するように回転されるとともに、右側の反射板３４２Ｒが、反射板３４２Ｌで反射された光の、ソーラーパネル３４１への入射を妨げないように回転される。
【０３６８】
これにより、集光部３１１で集光された光は、反射板３４２Ｌで右側に反射され、ソーラーパネル３４１に入射する。
【０３６９】
ソーラーパネル３４１では、このようにして配光部３３２から提供される光を利用して発電を行う。ソーラーパネル３４１の発電によって得られた電力は、蓄電部３１６に蓄電され、さらに、蓄電部３１６に蓄電された電力は、バックライト部３５１（図１９、図２０）その他の電気製品の駆動に使用される。
【０３７０】
次に、図２２を参照して、図１５の協業処理システムの処理について説明する。
【０３７１】
図２２Ａは、ユーザが、光を利用するデバイス（以下、光デバイスともいう）を、使用するために指定する操作を行った場合や、照明の明るさを調整する操作を行った場合に行われる制御部３３１の処理（協業制御）を説明するフローチャートである。
【０３７２】
なお、以下では、協業システムを構成する、通信装置３０１及び３０２を含む複数の通信装置のうちの、他の通信装置から光の提供を受ける通信装置を、第１装置ともいい、第１装置に対して光を提供する通信装置を、第２装置ともいう。
【０３７３】
いま、光デバイスを指定する操作や、照明の明るさを調整する操作を行うユーザが、客室HA1のユーザであるとすると、その客室HA1に設置された通信装置３０１（図１５）が、第１装置となる。
【０３７４】
第１装置である通信装置３０１において、配光部３３２の動作モードのデフォルトは、例えば、表示モード（図２１Ａ）となっている。
【０３７５】
協業処理システムを構成する、通信装置３０２等の他の通信装置でも、配光部の動作モードのデフォルトは、表示モードになっている。
【０３７６】
なお、通信装置３０１の配光部３３２、及び、協業処理システムを構成する他の通信装置の配光部の動作モードの制御は、制御部３３１によって行われる。
【０３７７】
客室HA1のユーザが、例えば、光デバイスを指定する操作や、照明の明るさを調整する操作を行うと、その客室HA1に設置された通信装置３０１は第１装置となって、指示部３１２は、その操作に応じて、指示情報を生成する。
【０３７８】
すなわち、例えば、客室HA1のユーザが、画像を表示する表示部３１５等の、光デバイスを指定する操作を行った場合、指示部３１２は、その光デバイスの指示と、光の要求とを表す指示情報を生成する。
【０３７９】
また、例えば、客室HA1のユーザが、照明装置の明るさを調整する操作を行った場合、指示部３１２は、その調整後の照明の明るさの指示と、光の要求とを表す指示情報を生成する。
【０３８０】
そして、指示部３１２において生成された指示情報は、送信部３１３から、制御部３３１に送信される。
【０３８１】
制御部３３１は、ステップＳ２０１において、第１装置である通信装置３０１の送信部３１３から、光の要求を表す指示情報が送信されてくるのを待って受信し、処理は、ステップＳ２０２に進む。
【０３８２】
ステップＳ２０２では、制御部３３１は、第１装置である通信装置３０１からの指示情報に基づき、その指示情報に応じて指示される光デバイスや明るさ、つまり、客室HA1のユーザが指定した光デバイスや調整後の照明の明るさに必要な光量P1が、第１装置である通信装置３０１の集光部３１１で集光されている光の光量P2では不足するかどうかを判定する。
【０３８３】
ここで、第１装置である通信装置３０１の集光部３１１で集光されている光の光量P2は、光量検出部３１７で検出され、指示情報に含められて、第１装置である通信装置３０１から、制御部３３１に、定期的若しくは不定期に、又は、制御部３３１の要求に応じて送信されるようになっている。他の通信装置でも同様である。
【０３８４】
ステップＳ２０２において、第１装置である通信装置３０１からの指示情報に応じて指示される光デバイスや明るさに必要な光量P1が、集光部３１１で集光されている光の光量P2だけで足りていると判定された場合（式P1<P2が成立する場合）、処理は、ステップＳ２０１に戻る。
【０３８５】
したがって、客室HA1のユーザが指定した光デバイスや調整後の照明の明るさに必要な光量が、その客室HA1に設置されている通信装置３０１の集光部３１１で集光されている光だけで賄うことができる場合には、第１装置である通信装置３０１の配光部３３２の動作モードは、表示モードのままとされ、また、第１装置である通信装置３０１に起因して、通信装置３０２等の他の通信装置の配光部の動作モードは、変更されない。
【０３８６】
表示モードの配光部３３２は、図２１Ａで説明したように、集光部３１１で集光された光を、採光部３４５に提供する。
【０３８７】
そして、例えば、客室HA1のユーザが、表示部３１５を、光デバイスとして指定する操作を行った場合には、図２１Ａで説明したように、採光部３４５では、配光部３３２から提供される、集光部３１１で集光された光が受光され、その光をバックライトとして、画像モードの表示部３１５に画像が表示される。
【０３８８】
また、例えば、客室HA1のユーザが、照明の明るさを調整する操作を行った場合には、図２１Ａで説明したように、採光部３４５では、配光部３３２から提供される、集光部３１１で集光された光が受光され、照明モードの表示部３１５において、その光が客室HA1の室内に入射する光量が調整される。
【０３８９】
一方、ステップＳ２０２において、第１装置である通信装置３０１からの指示情報に応じて指示される光デバイスや明るさに必要な光量が、集光部３１１で集光されている光の光量では不足すると判定された場合（式P1<P2が成立しない場合）、処理は、ステップＳ２０３に進み、制御部３３１は、第１装置である通信装置３０１以外の、協業処理システムを構成する他の通信装置の中で、所定の光量閾値以上の光量の光を集光しており、かつ、蓄電モードになっている通信装置が存在するかどうかを判定する。
【０３９０】
ここで、上述したように、通信装置３０１の配光部３３２、及び、協業処理システムを構成する他の通信装置の配光部の動作モードの制御は、制御部３３１によって行われるので、制御部３３１は、協業処理システムを構成する通信装置すべての配光部の動作モードを認識している。
【０３９１】
また、通信装置３０１では、上述したように、光量検出部３１７が、集光部３１１で集光されている光の光量を検出し、指示部３１２が、その光量を、指示情報に含め、送信部３１３を介して、定期的若しくは不定期に、又は、制御部３３１の要求に応じて、制御部３３１に送信するようになっている。
【０３９２】
協業処理システムを構成する他の通信装置でも、同様に、その、他の通信装置（の集光部）で集光された光の光量を含む指示情報が、制御部３３１に送信されるようになっている。
【０３９３】
制御部３３１は、協業処理システムを構成する各通信装置から送信されてくる指示情報に含まれる光量に基づき、各通信装置で集光されている光の光量が、所定の光量閾値以上の光量であるかどうかを認識する。
【０３９４】
そして、制御部３３１は、協業処理システムを構成する各通信装置の配光部の動作モードの認識結果と、各通信装置で集光されている光の光量が、所定の光量閾値以上の光量であるかどうかの認識結果とに基づき、ステップＳ２０３において、第１装置である通信装置３０１以外の、協業処理システムを構成する他の通信装置の中で、所定の光量閾値以上の光量の光を集光しており、かつ、蓄電モードになっている通信装置が存在するかどうかを判定する。
【０３９５】
なお、ステップＳ２０３の判定で用いられる所定の光量閾値は、例えば、第１装置である通信装置３０１からの指示情報に応じて指示される光デバイスや明るさ、つまり、客室HA1のユーザが指定した光デバイスや調整後の照明の明るさに必要な光量P1以上の値であることとする。
【０３９６】
ステップＳ２０３において、第１装置である通信装置３０１以外の、協業処理システムを構成する他の通信装置の中で、所定の光量閾値以上の光量の光を集光しており、かつ、蓄電モードになっている通信装置が存在しないと判定された場合、すなわち、他の通信装置の中に、十分な光量の光を提供することが可能な第２装置となることができる通信装置が存在しない場合、処理は、ステップＳ２０４に進み、制御部３３１は、第１装置である通信装置３０１の配光部３３２を制御し、その配光部３３２の動作モードを、蓄電モードとする。
【０３９７】
通信装置３０１において、蓄電モードの配光部３３２は、図２１Ｃで説明したように、集光部３１１で集光された光を、ソーラーパネル３４１に提供し、ソーラーパネル３４１は、その光を利用して、蓄電部３１６に電力を蓄電する。
【０３９８】
さらに、通信装置３０１では、蓄電部３１６に蓄電された電力によって、バックライト部３５１（図１９、図２０）が駆動される。
【０３９９】
したがって、例えば、客室HA1のユーザが、表示部３１５を、光デバイスとして指定する操作を行った場合には、蓄電部３１６に蓄電された電力によって駆動されたバックライト部３５１が発した光をバックライトとして、画像モードの表示部３１５に画像が表示される。
【０４００】
また、例えば、客室HA1のユーザが、照明の明るさを調整する操作を行った場合には、蓄電部３１６に蓄電された電力によって駆動されたバックライト部３５１が発した光が客室HA1の室内に入射する光量が、照明モードの表示部３１５において調整される。
【０４０１】
一方、ステップＳ２０３において、第１装置である通信装置３０１以外の、協業処理システムを構成する他の通信装置の中で、所定の光量閾値以上の光量の光を集光しており、かつ、蓄電モードになっている通信装置が存在すると判定された場合、すなわち、他の通信装置に、十分な光量の光を提供することが可能な第２装置となることができる通信装置（以下、適宜、可能通信装置ともいう）が存在する場合、処理は、ステップＳ２０５に進み、制御部３３１は、可能通信装置の中から、第２装置とする通信装置を選択する。
【０４０２】
ここで、制御部３３１は、上述したように、第１装置である通信装置３０１から送信されてくる、光デバイスの指示、又は、照明の明るさの指示等を含む指示情報を用いて、可能通信装置の中から、第２装置とする通信装置を選択する。
【０４０３】
したがって、指示情報によれば、第２装置（の集光部が集光する光）が、いわば間接的に指示されるということができる。
【０４０４】
ステップＳ２０５では、制御部３３１は、第２装置の選択後、その第２装置を制御して、配光モードとする。
【０４０５】
すなわち、例えば、いま、通信装置３０２が第２装置として選択されたこととすると、制御部３３１は、第２装置である通信装置３０２の配光部３３３を制御することで、その配光部３３３の動作モードを、配光モードとし、集光部３２１で集光された光を、第１装置である通信装置３０１に（配光）提供させる。
【０４０６】
この場合、第２装置である通信装置３０２では、配光部３３３の動作モードが、配光モードとなり、図２１Ｂで説明したように、集光部３２１で集光された光が、光ファイバ３４４（図１６）を介して、第１装置である通信装置３０１の採光部３４５（図１６）に配光される。
【０４０７】
そして、例えば、客室HA1のユーザが、表示部３１５を、光デバイスとして指定する操作を行った場合には、採光部３４５では、第２装置である通信装置３０２の配光部３３３から配光される、その通信装置３０２の集光部３２１で集光された光が、受光部３１４（図１６、図１９、図２０）で受光され、その光をバックライトとして、画像モードの表示部３１５に画像が表示される。
【０４０８】
また、例えば、客室HA1のユーザが、照明の明るさを調整する操作を行った場合には、採光部３４５では、第２装置である通信装置３０２の配光部３３３から配光される、その通信装置３０２の集光部３２１で集光された光が、受光部３１４（図１６、図１９、図２０）で受光され、照明モードの表示部３１５において、その光が客室HA1の室内に入射する光量が調整される。
【０４０９】
以上のように、第１装置である通信装置３０１において、指示部３１２が、ユーザの操作に応じて、光デバイス、又は明るさを指示する場合、つまり、光デバイス、又は明るさを指示する指示情報を生成する場合には、制御部３３１は、その指示情報に応じて指示される光デバイス、又は明るさに必要な光量が、第１装置である通信装置３０１の集光部３１１により集光されている光の光量では不足するかどうかを判定する。
【０４１０】
そして、指示情報に応じて指示される光デバイス、又は明るさに必要な光量が、第１装置である通信装置３０１の集光部３１１により集光されている光の光量では不足する場合には、制御部３３１は、第２装置である、例えば、通信装置３０２の配光部３３３を制御することにより、その動作モードを配光モードとして、その通信装置３０２の集光部３２１で集光された光を、第１装置である通信装置３０１に提供させる。
【０４１１】
そして、第１装置である通信装置３０１では、第２装置（他の通信装置）の集光部３２１により集光された光の提供を制御する制御部３３１の制御に応じて提供される、集光部３２１により集光された光が受光され、表示部３１５を構成する液晶セル１５１及び１５２を照明する光として利用されることにより、画像の表示や、客室HA1の室内の明るさ（照明）の調整が行われる。
【０４１２】
なお、制御部３３１は、ステップＳ２０５において、第１装置である通信装置３０１の配光部３３２の動作モードを蓄電モードとした後、指示部３１２から、送信部３１３を介して、集光部３１１で集光されている光の光量P2を含む指示情報が送信されてくるたびに、ステップＳ２０２と同様に、客室HA1のユーザが指定した光デバイスや調整後の照明の明るさに必要な光量P1が、指示部３１２からの指示情報に含まれる光量P2、つまり、第１装置である通信装置３０１の集光部３１１で集光されている光の光量P2では不足するかどうかを判定する。
【０４１３】
そして、客室HA1のユーザが指定した光デバイスや調整後の照明の明るさに必要な光量P1が、指示部３１２からの指示情報に含まれる光量P2で足りるようになった場合には、制御部３３１は、第１装置である通信装置３０１の配光部３３２を制御して、その動作モードを、表示モードとする。
【０４１４】
表示モードの配光部３３２は、図２１Ａで説明したように、集光部３１１で集光された光を、採光部３４５に提供する。
【０４１５】
そして、例えば、客室HA1のユーザが、表示部３１５を、光デバイスとして指定する操作を行った場合には、図２１Ａで説明したように、採光部３４５では、配光部３３２から提供される、集光部３１１で集光された光が、受光部３１４（図１５、図１９、図２０）で受光され、その光をバックライトとして、画像モードの表示部３１５に画像が表示される。
【０４１６】
また、例えば、客室HA1のユーザが、照明の明るさを調整する操作を行った場合には、図２１Ａで説明したように、採光部３４５では、配光部３３２から提供される、集光部３１１で集光された光が、受光部３１４（図１５、図１９、図２０）で受光され、照明モードの表示部３１５において、その光が客室HA1の室内に入射する光量が調整される。
【０４１７】
したがって、制御部３３１は、第１装置である通信装置３０１の指示部３１２からの指示情報に応じて、その第１装置である通信装置３０１の配光部３３２の動作モードを、表示モード（図２１Ａ）として、その通信装置３０１の配光部３３２に、その通信装置３０１の集光部３１１で集光された光を、同じく通信装置３０１の採光部３４５の受光部３１４（図１５、図１９、図２０）に配光させる。
【０４１８】
つまり、第１装置である通信装置３０１の配光部３３２は、その通信装置３０１の指示部３１２で生成された指示情報に応じて、表示モードとなり（図２１Ａ）、その通信装置３０１の集光部３１１で集光された光を、その通信装置３０１の採光部３４５の受光部３１４（図１５、図１９、図２０）に配光する。
【０４１９】
なお、同様に、第１装置である通信装置３０１の配光部３３２は、ステップＳ２０４で説明したように、その通信装置３０１の指示部３１２で生成された指示情報に応じて、蓄電モード（図２１Ｃ）となり、その通信装置３０１の集光部３１１で集光された光を、その通信装置３０１のソーラーパネル３４１（図１６）に配光する。
【０４２０】
一方、制御部３３１は、第１装置である通信装置３０１の指示部３１２からの指示情報に応じて、第２装置である通信装置３０２の配光部３３３の動作モードを、配光モード（図２１Ｂ）として、その通信装置３０２の配光部３３３に、その通信装置３０２の集光部３２１で集光された光を、他の通信装置である通信装置３０１の採光部３４５の受光部３１４（図１５、図１９、図２０）に配光させる。
【０４２１】
つまり、第２装置である通信装置３０２の配光部３３３は、その通信装置３０２にとって他の通信装置である通信装置３０１の指示部３１２で生成された指示情報に応じて、配光モード（図２１Ｂ）となり、第２装置である通信装置３０２の集光部３２１で集光された光を、他の通信装置である通信装置３０１の採光部３４５の受光部３１４（図１５、図１９、図２０）に配光する。
【０４２２】
次に、図２２Ｂは、通信装置３０１の集光部３１１を含む、図１５の協業処理システムを構成する各通信装置の集光部で集光された光の光量に応じて行われる制御部３３１の処理（協業制御）を説明するフローチャートである。
【０４２３】
なお、図２２Ｂの処理は、協業処理システムを構成する各通信装置を、第１装置として行われるが、ここでは、例えば、通信装置３０１が、第１装置であるとする。
【０４２４】
制御部３３１は、ステップＳ２１１において、第１装置である通信装置３０１（図１５、図１６）の配光部３３２を制御することにより、その動作モードを、デフォルトの表示モード（図２１Ａ）として、処理は、ステップＳ２１２に進む。
【０４２５】
ステップＳ２１２では、制御部３３１は、第１装置である通信装置３０１の集光部３１１で集光されている光の光量が、所定の光量閾値未満であるかどうかを判定する。
【０４２６】
すなわち、図２２Ａで説明したように、第１装置である通信装置３０１の集光部３１１で集光されている光の光量P2は、光量検出部３１７で検出され、指示部３１２によって、指示情報に含められて、第１装置である通信装置３０１（の送信部３１３）から、制御部３３１に、定期的若しくは不定期に、又は、制御部３３１の要求に応じて送信されるようになっている。
【０４２７】
ステップＳ２１２では、第１装置である通信装置３０１から、制御部３３１に送信されてくる、集光部３１１で集光されている光の光量P2を含む指示情報を用いて、第１装置である通信装置３０１の集光部３１１で集光されている光の光量が、所定の光量閾値未満であるかどうかを判定する。
【０４２８】
なお、ステップＳ２１２、及び、後述するステップＳ２１３の判定で用いられる所定の光量閾値は、例えば、客室HA1での利用が予測される光の光量、すなわち、例えば、画像モード、又は、照明モードの表示部３１５を照明する光の光量として、最低限の光量等であることとする。
【０４２９】
ステップＳ２１２において、第１装置である通信装置３０１の集光部３１１で集光されている光の光量が、所定の光量閾値未満でないと判定された場合、すなわち、例えば、画像モード、又は、照明モードの表示部３１５を照明する光の光量として、十分な光量が、集光部３１１で集光されている場合、処理は、ステップＳ２１１に戻る。
【０４３０】
以上のように、第１装置である通信装置３０１の集光部３１１で集光されている光の光量が、所定の光量閾値未満でない場合には、第１装置である通信装置３０１の配光部３３２の動作モードは、表示モードのままとされる。また、第１装置である通信装置３０１に起因して、通信装置３０２等の他の通信装置の配光部の動作モードは、変更されない。
【０４３１】
したがって、表示モードの配光部３３２は、図２１Ａで説明したように、集光部３１１で集光された光を、採光部３４５に提供する。
【０４３２】
そして、採光部３４５では、配光部３３２から提供される、集光部３１１で集光された光が、受光部３１４（図１５、図１９、図２０）で受光され、その光をバックライトとして、画像モードの表示部３１５に画像が表示され、又は、その光が客室HA1の室内に入射する光量が、照明モードの表示部３１５において調整される。
【０４３３】
一方、ステップＳ２１２において、第１装置である通信装置３０１の集光部３１１で集光されている光の光量が、所定の光量閾値未満でないと判定された場合、すなわち、例えば、画像モード、又は、照明モードの表示部３１５を照明する光の光量として、十分な光量を、集光部３１１で集光することができていない場合、処理は、ステップＳ２１３に進む。
【０４３４】
ここで、ステップＳ２１２では、上述したように、指示部３１２で生成され、送信部３１３から制御部３３１に送信されてくる、集光部３１１で集光されている光の光量P2を含む指示情報を用いて、集光部３１１で集光されている光の光量が、所定の光量閾値未満であることを判定する。
【０４３５】
したがって、指示部３１２は、光量検出部３１７により検出された光量が所定の光量閾値未満であること、又は、所定の光量閾値未満でないことを指示している、ということができ、さらに、送信部３１３は、指示部３１２の指示に対応した指示情報を送信していると、いうことができる。
【０４３６】
ステップＳ２１３では、制御部３３１は、第１装置である通信装置３０１以外の、協業処理システムを構成する他の通信装置の中で、所定の光量閾値以上の光量の光を集光しており、かつ、蓄電モードになっている通信装置が存在するかどうかを、図２２ＡのステップＳ２０３の場合と同様にして判定する。
【０４３７】
ステップＳ２１３において、第１装置である通信装置３０１以外の、協業処理システムを構成する他の通信装置の中で、所定の光量閾値以上の光量の光を集光しており、かつ、蓄電モードになっている通信装置が存在しないと判定された場合、すなわち、他の通信装置の中に、十分な光量の光を提供することが可能な第２装置となることができる通信装置である可能通信装置が存在しない場合、処理は、ステップＳ２１４に進み、制御部３３１は、第１装置である通信装置３０１の配光部３３２を制御し、その配光部３３２の動作モードを、蓄電モードとする。
【０４３８】
通信装置３０１において、蓄電モードの配光部３３２は、図２１Ｃで説明したように、集光部３１１で集光された光を、ソーラーパネル３４１に提供し、ソーラーパネル３４１は、その光を利用して、蓄電部３１６に電力を蓄電する。
【０４３９】
さらに、通信装置３０１では、蓄電部３１６に蓄電された電力によって、バックライト部３５１（図１９、図２０）が駆動される。
【０４４０】
そして、蓄電部３１６に蓄電された電力によって駆動されたバックライト部３５１が発した光をバックライトとして、画像モードの表示部３１５に画像が表示され、又は、バックライト部３５１が発した光が客室HA1の室内に入射する光量が、照明モードの表示部３１５において調整される。
【０４４１】
一方、ステップＳ２１３において、第１装置である通信装置３０１以外の、協業処理システムを構成する他の通信装置の中で、所定の光量閾値以上の光量の光を集光しており、かつ、蓄電モードになっている通信装置が存在すると判定された場合、すなわち、他の通信装置の中に、十分な光量の光を提供することが可能な第２装置となることができる通信装置である可能通信装置が存在する場合、処理は、ステップＳ２１５に進み、制御部３３１は、図２２ＡのステップＳ２０５の場合と同様に、可能通信装置の中から、第２装置とする通信装置を選択する。
【０４４２】
さらに、ステップＳ２１５では、制御部３３１は、第２装置を制御して、配光モードとする。
【０４４３】
すなわち、例えば、いま、通信装置３０２が第２装置として選択されたこととすると、制御部３３１は、第２装置である通信装置３０２の配光部３３３を制御することで、その配光部３３３の動作モードを、配光モードとし、集光部３２１で集光された光を、第１装置である通信装置３０１に（配光）提供させる。
【０４４４】
この場合、第２装置である通信装置３０２では、配光部３３３の動作モードが、配光モードとなり、図２１Ｂで説明したように、集光部３２１で集光された光が、光ファイバ３４４（図１６）を介して、第１装置である通信装置３０１の採光部３４５（図１６）に配光される。
【０４４５】
そして、採光部３４５では、第２装置である通信装置３０２の配光部３３３から配光される、その通信装置３０２の集光部３２１で集光された光が、受光部３１４（図１６、図１９、図２０）で受光され、その光をバックライトとして、画像モードの表示部３１５に画像が表示され、又は、その光が客室HA1の室内に入射する光量が、照明モードの表示部３１５において調整される。
【０４４６】
以上のように、第１装置である通信装置３０１において、指示部３１２が、光量検出部３１７により検出された光量が所定の光量閾値未満であることを指示し、送信部３１３が、その指示部３１２の指示に対応する指示情報を、制御部３３１に送信する。一方、制御部３３１は、通信装置３０１からの指示情報に基づき、その通信装置３０１の集光部３１１で集光された光の光量が、十分な光量であるかどうかを判定する。
【０４４７】
さらに、集光部３１１で集光された光の光量が、十分な光量でない場合には、制御部３３１は、第２装置である、例えば、通信装置３０２の配光部３３３を制御することにより、その動作モードを配光モードとして、その通信装置３０２の集光部３２１で集光された光を、第１装置である通信装置３０１に提供させる。
【０４４８】
そして、第１装置である通信装置３０１では、第２装置（他の通信装置）の集光部３２１により集光された光の提供を制御する制御部３３１の制御に応じて提供される、集光部３２１により集光された光が受光され、表示部３１５を構成する液晶セル１５１及び１５２を照明する光として利用されることにより、画像の表示や、客室HA1の室内の明るさ（照明）の調整が行われる。
【０４４９】
なお、ステップＳ２１５の処理後は、図２２ＡのステップＳ２０５の処理後と同様の処理が行われる。
【０４５０】
ここで、上述の場合には、例えば、通信装置３０１において、光量検出部３１７が、集光部３１１で集光されている光の光量を検出し、指示部３１２が、その光量を、指示情報に含めて、送信部３１３を介して、制御部３３１に送信する一方、制御部３３１において、通信装置３０１からの指示情報に含まれる光量が、所定の光量閾値以上であるかどうかを判定するようにしたが、その他、通信装置３０１では、指示部３１２において、光量検出部３１７で検出された光量が、所定の光量閾値以上であるかどうかを判定し、その判定結果を指示情報に含めて、制御部３３１に送信することが可能である。協業処理システムを構成する他の通信装置においても、同様である。
【０４５１】
また、第２装置である通信装置３０２の配光部３３３の動作モードが、配光モードとされ、その通信装置３０２の集光部３２１で集光された光が、第１装置である通信装置３０１の採光部３４５に配光される場合には、第１装置である通信装置３０１では、第２装置である通信装置３０２から配光される光の他、第１装置である通信装置３０１の集光部３１１で集光され、配光部３３２を介して、採光部３４５に配光（提供）される光も、表示部３１５を照明する光として利用することができる。
【０４５２】
次に、図２３は、図４の街に適用される協業処理システムの第５の構成例を示している。
【０４５３】
図２３において、協業処理システムは、複数の通信装置４０１及び４０２と、制御装置４０３とから構成される。
【０４５４】
通信装置４０１は、ホテルHAの客室HA1（図４）に設置されており、通信装置４０２は、客室HA1以外の、他の客室の１つである、例えば、ホテルHBの客室HB1に設置されている。
【０４５５】
なお、客室HA1以外のホテルHAの客室、客室HB1以外のホテルHBの客室、ホテルHCの各客室、及び、ホテルHDの各客室にも、通信装置４０１や４０２と同様の通信装置が設置されているが、その説明は、省略する。
【０４５６】
また、制御装置４０３は、ホテルHAないしHDとは独立した制御センタに設置することもできるし、例えば、通信装置４０１又は４０２と一体化して、ホテルHA又はHBに設置することもできる。
【０４５７】
さらに、制御装置４０３の機能は、通信装置４０１及び４０２、並びに、協業処理システムを構成するその他の通信装置が、分担して担当することができる。
【０４５８】
通信装置４０１は、集光部４１１、撮像部４１２、配光部４１３、送出部４１４、指示部４１５、送信部４１６、受光部４１７、受信部４１８、及び、表示部４１９から構成される。
【０４５９】
集光部４１１、及び、撮像部４１２は、図２のセンサ部３１に相当する。
【０４６０】
集光部４１１は、太陽光を集光し（光をセンシングし）、配光部４１３に入射させる（供給する）。
【０４６１】
撮像部４１２は、画像を撮像し（光をセンシングし）、画像信号を出力する。撮像部４１２が出力する画像信号は、送出部４１４に供給される。
【０４６２】
配光部４１３、及び、送出部４１４は、図２の送出部５２に相当する。
【０４６３】
配光部４１３は、制御部４３１の制御に従い、通信装置４０１の集光部４１１で集光された光を、通信装置４０１にとって他の通信装置（例えば、通信装置４０２や、協業処理システムを構成するその他の通信装置）等に提供する配光を行う。
【０４６４】
送出部４１４は、制御部４３１の制御に従い、通信装置４０１の撮像部４１２のセンサ出力としての画像信号を、通信装置４０１にとって他の通信装置に提供（送信）する。
【０４６５】
指示部４１５は、図２の指示部３２に相当する。指示部４１５は、例えば、ユーザの操作に応じて、所定の指示を行う。すなわち、指示部４１５は、ユーザの操作等に応じて、例えば、通信装置４０２の撮像部４２２等の、他の通信装置の撮像部が出力する画像信号その他の所定の指示を行う指示情報を生成し、送信部４１６に供給する。
【０４６６】
送信部４１６は、図２の送信部３３に相当する。送信部４１６は、指示部４１５からの指示情報を、制御部４３１に送信する。
【０４６７】
受光部４１７、及び、受信部４１８は、図２のレシーブ部３４に相当する。
【０４６８】
受光部４１７は、制御部４３１に送信された指示情報に応じて指示されるセンサ出力、すなわち、例えば、他の通信装置４０２が有する集光部４２１が出力する光を、その光を提供する配光部４２３から受光し、表示部４１９に供給する。
【０４６９】
受信部４１８は、他の通信装置の撮像部が出力する画像信号、すなわち、例えば、通信装置４０２の撮像部４２２が出力し、送出部４２４を介して送信されてくる画像信号を受信し、表示部４１９に供給する。
【０４７０】
表示部４１９は、受光部４１７からの光を利用して、受信部４１８からの画像信号に対応する画像を表示し、また、客室HA1の室内を照明する。なお、表示部４１９は、その他、図示せぬチューナやプレーヤ等が出力する画像信号に対応する画像を表示することができる。
【０４７１】
通信装置４０２は、通信装置４０１と同様に構成される。
【０４７２】
すなわち、通信装置４０２は、集光部４１１、撮像部４１２、配光部４１３、送出部４１４、指示部４１５、送信部４１６、受光部４１７、受信部４１８、及び、表示部４１９とそれぞれ同様の集光部４２１、撮像部４２２、配光部４２３、送出部４２４、指示部４２５、送信部４２６、受光部４２７、受信部４２８、及び、表示部４２９から構成される。
【０４７３】
なお、通信装置４０２の受光部４２７に対しては、他の通信装置の配光部が提供する光のうちの、通信装置４０１の集光部４１１で集光された光は、配光部４１３から提供（配光）されるようになっている。
【０４７４】
また、通信装置４０２の受信部４２８に対しては、他の通信装置の撮像部が出力する画像信号のうちの、通信装置４０１の撮像部４１２が出力する画像信号は、送出部４１４から提供（送信）されてくるようになっている。
【０４７５】
制御装置４０３は、制御部４３１、及び、記憶部４３２から構成される。
【０４７６】
制御部４３１は、図２の制御部５１に相当する。制御部４３１は、通信装置４０１の送信部４１６から送信されてくる指示情報や、通信装置４０２の送信部４２６から送信されてくる指示情報等、さらには、記憶部４３２に記憶された情報に従い、配光部４１３、及び、送出部４１４、並びに、配光部４２３、及び、送出部４２４、その他の通信装置の配光部、及び送出部によるセンサ出力としての光や画像信号の提供を制御する。
【０４７７】
記憶部４３２は、制御部４３１が処理を行う上で必要な情報を記憶する。
【０４７８】
なお、図２３の協業処理システムにおいて、集光部４１１は、図１５ないし図１８で説明した集光部３１１と同様に構成されている。集光部４２１も同様である。
【０４７９】
また、撮像部４１２は、図５及び図８で説明した撮像部１１１と同様に、ホテルHA（の客室HA1の室内）から見える景色の画像を撮像することができる位置に設置されている。同様に、撮像部４２２も、ホテルHBから見える景色の画像を撮像することができる位置に設置されている。
【０４８０】
さらに、配光部４１３は、図１５、図１６、及び、図２１で説明した配光部３３２と同様に構成されている。配光部４２３も同様である。
【０４８１】
また、通信装置４０１において、受光部４１７は、図１５、図１９、及び、図２０で説明した受光部３１４と同様に構成されている。また、表示部４１９は、図１５、図１６、図１９、及び、図２０で説明した表示部３１５と同様に構成されており、したがって、図６及び図７で説明した液晶表示装置で構成されている。
【０４８２】
なお、図２３には、図示していないが、通信装置４０１には、図１６、図１９、及び、図２０で説明した採光部３４５と同様の採光部が設けられており、受光部４１７、及び、表示部４１９は、採光部３４５（図１６、図１９、図２０）を構成する受光部３１４、及び、表示部３１５と同様に、通信装置４０１に設けられている採光部を構成する。
【０４８３】
通信装置４０２においても同様である。
【０４８４】
次に、図２４を参照して、図２３の協業処理システムにおいて画像に関して行われる処理について説明する。
【０４８５】
図２４Ａは、図２３の制御部４３１が画像に関して行う処理の１つを説明するフローチャートである。
【０４８６】
例えば、通信装置４０１では、撮像部４１２が、画像を撮像し、その結果得られる画像信号を、送出部４１４に出力している。
【０４８７】
ここで、送出部４１４は、撮像部４１２からの画像信号を受信し、必要に応じて、内蔵するメモリ（図示せず）に一時記憶する。さらに、送出部４１４は、制御部４３１の制御に従い、撮像部４１２からの画像信号（内蔵するメモリに記憶された画像信号を含む）を、通信装置４０２等の他の通信装置に送信する。
【０４８８】
通信装置４０２を含む、協業処理システムを構成する他の通信装置でも、通信装置４０１と同様に、画像を撮像し、その結果得られる画像信号を、制御部４３１の制御に従って送信する。
【０４８９】
例えば、いま、通信装置４０２において、送出部４２４が、制御部４３１の制御に従い、撮像部４２２で撮像された画像の画像信号を、通信装置４０１に送信しているとすると、通信装置４０１では、受信部４１８が、通信装置４０２の送出部４２４から送信（提供）されてくる画像信号を受信し、表示部４１９に供給する。
【０４９０】
表示部４１９では、受信部４１８からの画像信号に対応する画像が表示される。
【０４９１】
一方、制御部４３１は、ステップＳ３０１において、通信装置４０１の表示部４１９に表示されている画像（を撮像している撮像部）の変更の指示（要求）があったかどうかを判定する。
【０４９２】
すなわち、客室HA1のユーザが、表示部４１９に表示される画像を、現在の画像（例えば、ホテルHBから見える景色の画像）から、他の画像（例えば、ホテルHCから見える景色の画像）に変更するように操作を行った場合、通信装置４０１では、指示部４１５が、客室HA1のユーザの操作に応じて、変更後の画像を指示する指示情報を生成し、その指示情報に、客室HA1のユーザのユーザIDを含めて、送信部４１６に供給する。
【０４９３】
送信部４１６は、指示部４１５からの指示情報を、制御部４３１に送信する。
【０４９４】
ステップＳ３０１では、以上のようにして、送信部４１６から制御部４３１に、変更後の画像を指示する指示情報が送信されてきたかどうかを判定する。
【０４９５】
ステップＳ３０１において、変更後の画像を指示する指示情報が送信されてきていないと判定された場合、すなわち、例えば、客室HA1のユーザが、表示部４１９に現在表示されている画像を表示し続けることを希望している場合、処理は、ステップＳ３０２をスキップして、ステップＳ３０３に進む。
【０４９６】
また、ステップＳ３０1において、変更後の画像を指示する指示情報が、送信部４１６から制御部４３１に送信されてきたと判定された場合、処理は、ステップＳ３０２に進み、制御部４３１は、通信装置４０１の表示部４１９に表示される画像を、現在の画像である、撮像部４２２で撮像されている画像から、その指示情報によって指示される画像に切り換える（変更する）制御を行って、処理は、ステップＳ３０３に進む。
【０４９７】
すなわち、ステップＳ３０２では、制御部４３１は、通信装置４０２の送出部４２４を制御することにより、撮像部４２２が出力する画像信号の、通信装置４０１への送信を停止させる。
【０４９８】
さらに、制御部４３１は、通信装置４０１の送信部４１６からの指示情報によって指示される画像を撮像している撮像部を有する通信装置（以下、被指示装置ともいう）の送出部を制御することにより、その撮像部が出力する画像信号の、通信装置４０１への送信を開始させる。
【０４９９】
通信装置４０１では、受信部４１８が、以上のようにして送信されてくる、被指示装置の撮像部が出力する画像信号を受信し、表示部４１９に供給する。
【０５００】
表示部４１９では、受信部４１８からの画像信号に対応する画像、すなわち、指示情報によって指示された、変更後の画像が表示される。
【０５０１】
ステップＳ３０３では、制御部４３１が、通信装置４０１の表示部４１９に現在表示されている画像の表示が開始されてから、所定の時間が経過したかどうかを判定する。
【０５０２】
ステップＳ３０３において、表示部４１９に現在表示されている画像の表示が開始されてから、所定の時間が経過していないと判定された場合、すなわち、表示部４１９に現在表示されている画像の表示が開始されてから、それほど時間が経過しておらず、客室HA1のユーザが、表示部４１９に現在表示されている画像を、気に入らずに、他の画像に変更する操作をする可能性がある場合、処理は、ステップＳ３０１に戻る。
【０５０３】
また、ステップＳ３０３において、表示部４１９に現在表示されている画像の表示が開始されてから、所定の時間が経過していると判定された場合、すなわち、客室HA1のユーザが、表示部４１９に現在表示されている画像を、気に入って、ある程度長い時間、その画像を表示したままにしている場合、処理は、ステップＳ３０４に進み、制御部４３１は、客室HA1のユーザのユーザIDと、そのユーザの操作に応じて表示部４１９に現在表示されている画像のメタデータとを対応付けて（紐付けて）、記憶部４３２に記憶させる（蓄積）する。
【０５０４】
すなわち、制御部４３２は、表示部４１９に現在表示されている画像のメタデータと、その画像を指示する、送信部４１６から送信されてきた指示情報に含まれる客室HA1のユーザのユーザIDとを対応付けて、記憶部４３２に記憶されているテーブルに登録する。
【０５０５】
図２４Ａの処理は、通信装置４０１の他、協業処理システムを構成する通信装置すべてを対象として行われる。
【０５０６】
図２４Ｂは、記憶部４３２に記憶されるテーブルの例を示している。
【０５０７】
図２４Ｂでは、記憶部４３２には、ポインタテーブルと、ユーザテーブルとの２つのテーブルが記憶されている。
【０５０８】
ポインタテーブルには、通信装置４０１の撮像部４１２、及び、通信装置４０２の撮像部４２２を含む、協業処理システムを構成する各通信装置の撮像部について、その撮像部を識別するカメラID、撮像部が撮像する画像のメタデータ、及び、その（画像を撮像する）撮像部が出力する画像信号にアクセスするためのポインタが対応付けられて登録されている。
【０５０９】
ここで、ポインタテーブルに登録される画像のメタデータとしては、例えば、その画像に映っているオブジェクト（例えば、ビルや、川、橋、海、山、太陽等）の情報を採用することができる。
【０５１０】
例えば、通信装置４０１の撮像部４１２は、ホテルHAにあらかじめ設置されるので、その撮像部４１２において撮像される画像に、どのようなオブジェクトが映るのかは、協業処理システムの管理者が認識している。そこで、ポインタテーブルのメタデータは、例えば、協業処理システムの管理者によって、ポインタテーブルに登録される。
【０５１１】
なお、ポインタテーブルに登録される画像のメタデータとしては、その他、画像が撮像された日時や、季節等を採用することができる。
【０５１２】
また、ポインタテーブルに登録されるポインタとしては、例えば、撮像部４１２が出力する画像信号を一時記憶する、送出部４１４のメモリ（図示せず）にアクセスするための情報を採用することができる。
【０５１３】
なお、撮像部４１２が出力する画像信号は、送出部４１４から、制御部４３１に供給して、制御部４３１が内蔵するメモリに一時記憶させておくこともでき、この場合、ポインタテーブルに登録されるポインタとしては、制御部４３１が内蔵するメモリの、撮像部４１２が出力する画像信号を記憶する記憶領域にアクセスするための情報を採用することができる。その他、ポインタとしては、例えば、撮像部にアクセスするための情報を採用することができる。
【０５１４】
ユーザテーブルには、ユーザIDと、そのユーザIDのユーザの操作に応じて表示部４１９に表示された画像のメタデータとが対応付けられて登録される。
【０５１５】
すなわち、ユーザテーブルには、上述した図２４ＡのステップＳ３０４において、例えば、客室HA1のユーザのユーザIDと、そのユーザの操作に応じて表示部４１９に表示された画像のメタデータとが対応付けられて登録される。
【０５１６】
なお、ユーザテーブルに登録される画像のメタデータ、すなわち、例えば、客室HA1のユーザのユーザIDと、そのユーザの操作に応じて表示部４１９に表示された画像のメタデータは、例えば、ポインタテーブルにおいて、その画像を撮像している撮像部のカメラIDと対応付けられているメタデータから認識される。
【０５１７】
次に、図２４Ｃは、図２３の制御部４３１が画像に関して行う処理の他の１つを説明するフローチャートである。
【０５１８】
図２４Ｃの処理は、記憶部４３２に記憶されたポインタテーブル、及び、ユーザテーブルを用いて行われる。
【０５１９】
例えば、通信装置４０１では、指示部４１５が、ホテルHAの従業員の操作や、客室HA1に宿泊するユーザの操作に応じて、そのユーザのユーザIDを指示する指示情報を生成し、送信部４１６に供給する。
【０５２０】
送信部４１６は、指示部４１５からの指示情報を、制御部４３１に送信し、制御部４３１は、以上のようにして、送信部４１６から送信されてくる、ユーザIDを指示する指示情報を受信する。
【０５２１】
制御部４３１は、ユーザIDを指示する指示情報を受信すると、ステップＳ３１１において、その指示情報によって指示されるユーザIDのユーザの履歴が存在するかどうか、すなわち、記憶部４３２に記憶されたユーザテーブルに、指示情報によって指示されるユーザIDが登録されているかどうかを判定する。
【０５２２】
ステップＳ３１１において、記憶部４３２に記憶されたユーザテーブルに、指示情報によって指示されるユーザIDが登録されていないと判定された場合、すなわち、例えば、指示情報によって指示されるユーザIDのユーザが、図４の街に宿泊するのが初めてである場合、処理は、ステップＳ３１２及びＳ３１３をスキップして終了する。
【０５２３】
また、ステップＳ３１１において、記憶部４３２に記憶されたユーザテーブルに、指示情報によって指示されるユーザIDが登録されていると判定された場合、処理は、ステップＳ３１２に進み、制御部４３１は、ユーザテーブルにおいて、指示情報によって指示されるユーザIDと対応付けられているメタデータを、注目メタデータとして選択する。
【０５２４】
ここで、ユーザテーブルにおいて、指示情報によって指示されるユーザIDと対応付けられているメタデータが、複数存在する場合には、その複数のメタデータの中から、１つのメタデータが、例えば、ランダムに、注目メタデータとして選択される。
【０５２５】
制御部４３１は、注目メタデータの選択後、さらに、ステップＳ３１２において、その注目メタデータ（と同一のメタデータ）を有する画像を撮像している撮像部を、指示情報によって指示されるユーザIDのユーザ、つまり、いまの場合、客室HA1のユーザに見せる画像を撮像している撮像部（以下、注目撮像部ともいう）として選択して、処理は、ステップＳ３１３に進む。
【０５２６】
すなわち、制御部４３１は、ポインタテーブルにおいて、注目メタデータと対応付けられているポインタを、注目ポインタとして選択する。
【０５２７】
ここで、ポインタテーブルにおいて、注目メタデータと対応付けられているポインタが複数存在する場合には、その複数のポインタの中から、１つのポインタが、例えば、ランダムに、注目ポインタとして選択される。
【０５２８】
ステップＳ３１３では、制御部４３１は、ステップＳ３１２で選択された注目撮像部が出力する画像信号を、通信装置４０１に提供するように、その注目撮像部を有する通信装置の送出部を制御する。
【０５２９】
すなわち、制御部４３１は、注目ポインタが示すメモリを内蔵する送出部（以下、注目送出部ともいう）にアクセスし、その注目送出部が提供する、撮像部（注目撮像部）が出力する画像信号を、通信装置４０１に送信するように、注目送出部を制御する。
【０５３０】
通信装置４０１では、受信部４１８が、以上のようにして注目送出部から送信されてくる、注目撮像部が出力する画像信号を受信し、表示部４１９に供給して、対応する画像を表示させる。
【０５３１】
図２４Ｃの処理は、通信装置４０１の他、協業処理システムを構成する通信装置すべてを対象として行われる。
【０５３２】
以上のように、図２４Ａで説明した処理によれば、例えば、客室HA1に設置された通信装置４０１において、指示部４１５が、客室HA1のユーザの操作に応じて、他の通信装置の撮像部が出力する画像信号を指示すると、受信部４１８は、指示部４１５の指示に対応する指示情報に応じて指示される、他の通信装置の撮像部が出力する画像信号を受信し、表示部４１９は、受信部４１８が受信した画像信号に対応する画像を表示する。
【０５３３】
さらに、制御部４３１では、ユーザテーブルに、客室HA1のユーザのユーザIDと、表示部４１９に表示された画像のメタデータとが対応付けられて登録される。
【０５３４】
一方、図２４Ｃで説明した処理によれば、制御部４３１は、ポインタテーブルと、ユーザテーブルとを用いて、特定のユーザIDとしての、例えば、通信装置４０１から制御部４３１に送信されてくる指示情報が指示する、客室HA1のユーザのユーザIDに対応付けられたメタデータ（注目メタデータ）を有する画像を撮像する撮像部（注目撮像部）を選択し、その注目撮像部が出力する画像信号の提供を制御する。
【０５３５】
すなわち、制御部４３１は、注目撮像部を有する通信装置の送出部（注目送出部）を制御し、注目撮像部が出力する画像信号を、通信装置４０１に送信させる。
【０５３６】
そして、通信装置４０１では、受信部４１８が、注目送出部からの画像信号を受信し、表示部４１９に、対応する画像を表示させる。
【０５３７】
したがって、ユーザが、以前に、ホテルHAないしHDのうちのいずれかの客室に宿泊し、例えば、海などの、所定のオブジェクトが映っている画像の表示を指示する操作を行って、その画像を気に入って表示させ続けた場合には、再度、ホテルHAないしHDのうちのいずれかの客室に宿泊したときに、お気に入りのオブジェクトが映っている画像の表示を指示する操作を行わなくても、お気に入りのオブジェクトが映っている画像が表示される。
【０５３８】
その結果、ホテルHAないしHDのうちの、ユーザが以前に宿泊したホテル側が、そのユーザのことを覚えており、ユーザの好みにあったもてなしをしているかのような感覚を、ユーザに与えることができる。
【０５３９】
次に、図２５を参照して、図２３の協業処理システムにおいて光に関して行われる処理について説明する。
【０５４０】
図２５Ａは、図２３の制御部４３１が光に関して行う処理の１つを説明するフローチャートである。
【０５４１】
例えば、通信装置４０１では、集光部４１１が、太陽光を集光し、その集光によって得られる光を、配光部４１３に出射している。
【０５４２】
ここで、配光部４１３は、集光部４１１からの光を、制御部４３１の制御に従い、通信装置４０２等の他の通信装置に配光（提供）する。
【０５４３】
通信装置４０２を含む、協業処理システムを構成する他の通信装置でも、通信装置４０１と同様に、太陽光を集光し、その結果得られる光を、制御部４３１の制御に従って配光する。
【０５４４】
例えば、いま、通信装置４０２において、配光部４２３が、制御部４３１の制御に従い、集光部４２１で集光された光を、通信装置４０１に配光しているとすると、通信装置４０１では、受光部４１７が、通信装置４０２の配光部４２３から配光されてくる光を受光し、表示部４１９に供給する。
【０５４５】
表示部４１９では、受光部４１７からの光が、客室HA1の照明として出射される。
【０５４６】
一方、制御部４３１は、ステップＳ３３１において、通信装置４０１の表示部４１９による照明の明るさの変更の指示（要求）があったかどうかを判定する。
【０５４７】
すなわち、客室HA1のユーザが、表示部４１９による照明の明るさを、現在より明るい明るさ、又は暗い明るさに変更するように操作を行った場合、通信装置４０１では、指示部４１５が、客室HA1のユーザの操作に応じて、変更後の明るさを指示する指示情報を生成し、その指示情報に、客室HA1のユーザのユーザIDを含めて、送信部４１６に供給する。
【０５４８】
送信部４１６は、指示部４１５からの指示情報を、制御部４３１に送信する。
【０５４９】
ステップＳ３３１では、以上のようにして、送信部４１６から制御部４３１に、変更後の明るさを指示する指示情報が送信されてきたかどうかを判定する。
【０５５０】
ステップＳ３３１において、変更後の明るさを指示する指示情報が送信されてきていないと判定された場合、すなわち、例えば、客室HA1のユーザが、表示部４１９による照明の明るさを、現在の明るさにし続けることを希望している場合、処理は、ステップＳ３３２をスキップして、ステップＳ３３３に進む。
【０５５１】
また、ステップＳ３３1において、変更後の明るさを指示する指示情報が、送信部４１６から制御部４３１に送信されてきたと判定された場合、処理は、ステップＳ３３２に進み、制御部４３１は、通信装置４０１の表示部４１９による照明の明るさを、現在の明るさから、その指示情報によって指示される明るさに切り換える（変更する）制御を行って、処理は、ステップＳ３３３に進む。
【０５５２】
すなわち、ステップＳ３３２では、制御部４３１は、通信装置４０１を除く他の通信装置のうちの、必要な１以上の他の通信装置の配光部を制御することにより、通信装置４０１の表示部４１９による照明の明るさが、通信装置４０１（の送信部４１６）からの指示情報によって指示される明るさになるように、１以上の他の通信装置の配光部から、その１以上の他の通信装置の集光部で集光された光を、通信装置４０１に配光させる。
【０５５３】
ここで、通信装置４０１から制御部４３１に送信されてくる、変更後の明るさを指示する指示情報は、その変更後の明るさを得るための、１以上の他の通信装置の集光部で集光された光を、間接的に指示している、ということができる。
【０５５４】
通信装置４０１では、受光部４１７が、以上のようにして１以上の他の通信装置の配光部から配光されてくる、指示情報によって指示される１以上の他の通信装置の集光部により集光された光を受光し、表示部４１９が、その光によって、客室HA1の室内を照明する。すなわち、表示部４１９は、指示情報によって指示された明るさで、客室HA1の室内を照明する。
【０５５５】
ステップＳ３３３では、制御部４３１が、通信装置４０１の表示部４１９による現在の明るさでの照明が開始されてから、所定の時間が経過したかどうかを判定する。
【０５５６】
ステップＳ３３３において、表示部４１９による現在の明るさでの照明が開始されてから、所定の時間が経過していないと判定された場合、すなわち、表示部４１９による現在の明るさでの照明が開始されてから、それほど時間が経過しておらず、客室HA1のユーザが、現在の照明の明るさを、気に入らずに、照明の明るさを変更する操作をする可能性がある場合、処理は、ステップＳ３３１に戻る。
【０５５７】
また、ステップＳ３３３において、表示部４１９による現在の明るさでの照明が開始されてから、所定の時間が経過していると判定された場合、すなわち、客室HA1のユーザが、現在の照明の明るさを、気に入って、ある程度長い時間、その明るさのままにしている場合、処理は、ステップＳ３３４に進み、制御部４３１は、客室HA1のユーザのユーザIDと、そのユーザの操作に応じて変更された照明の明るさを得るのに必要な光量に関する光量情報とを対応付けて（紐付けて）、記憶部４３２に記憶させる（蓄積）する。
【０５５８】
ここで、上述したように、客室HA1のユーザが、照明の明るさを変更するように操作を行うと、制御部４３１は、その変更後の明るさを指示する指示情報に基づき、通信装置４０１以外の、１以上の他の通信装置の配光部から、その１以上の他の通信装置の集光部で集光された光を、通信装置４０１に配光させ、通信装置４０１では、そのようにして配光される光が、受光部４１７で受光される。
【０５５９】
すなわち、受光部４１７は、ユーザの、照明の明るさを変更する操作に応じて生成される指示情報によって間接的に指示される、１以上の他の通信装置の集光部で集光された光を受光する。
【０５６０】
そして、制御部４３１は、ステップＳ３３４において、客室HA1のユーザのユーザIDと、そのユーザの操作に応じて受光部４１７が受光した光の光量に関する光量情報とが対応付けられたテーブル（以下、光量情報テーブルともいう）を、記憶部４３２に記憶させる。
【０５６１】
なお、光量情報としては、例えば、指示情報によって指示される、変更後の明るさの情報や、その指示情報に基づいて制御された配光部の情報（設定）等を採用することができる。
【０５６２】
また、図２５Ａの処理は、通信装置４０１の他、協業処理システムを構成する通信装置すべてを対象として行われる。
【０５６３】
次に、図２５Ｂは、図２３の制御部４３１が光に関して行う処理の他の１つを説明するフローチャートである。
【０５６４】
図２５Ｂの処理は、図２５Ａの処理で記憶部４３２に記憶された光量情報テーブルを用いて行われる。
【０５６５】
例えば、通信装置４０１では、指示部４１５が、ホテルHAの従業員の操作や、客室HA1に宿泊するユーザの操作に応じて、そのユーザのユーザIDを指示する指示情報を生成し、送信部４１６に供給する。
【０５６６】
送信部４１６は、指示部４１５からの指示情報を、制御部４３１に送信し、制御部４３１は、以上のようにして、送信部４１６から送信されてくる、ユーザIDを指示する指示情報を受信する。
【０５６７】
制御部４３１は、ユーザIDを指示する指示情報を受信すると、ステップＳ３４１において、その指示情報によって指示されるユーザIDのユーザの履歴が存在するかどうか、すなわち、記憶部４３２に記憶された光量情報テーブルに、指示情報によって指示されるユーザIDが登録されているかどうかを判定する。
【０５６８】
ステップＳ３４１において、記憶部４３２に記憶された光量情報テーブルに、指示情報によって指示されるユーザIDが登録されていないと判定された場合、すなわち、例えば、指示情報によって指示されるユーザIDのユーザが、図４の街に宿泊するのが初めてである場合、処理は、ステップＳ３４２及びＳ３４３をスキップして終了する。
【０５６９】
また、ステップＳ３４１において、記憶部４３２に記憶された光量情報テーブルに、指示情報によって指示されるユーザIDが登録されていると判定された場合、処理は、ステップＳ３４２に進み、制御部４３１は、光量情報テーブルにおいて、指示情報によって指示されるユーザIDと対応付けられている光量情報を、注目光量情報として選択（検出）する。
【０５７０】
ここで、光量情報テーブルにおいて、指示情報によって指示されるユーザIDと対応付けられている光量情報が、複数存在する場合には、その複数の光量情報の中から、１つの光量情報が、例えば、ランダムに、注目光量情報として選択される。
【０５７１】
注目光量情報が選択されると、処理は、ステップＳ３４２からステップＳ３４３に進み、制御部４３１は、ステップＳ３４２で選択された注目光量情報に応じて、通信装置４０１を除く他の通信装置のうちの、必要な１以上の他の通信装置の配光部を制御することにより、通信装置４０１の表示部４１９による照明の明るさが、客室HA1のユーザによって過去に行われた操作に応じて指示された明るさになるように、１以上の他の通信装置の配光部から、その１以上の他の通信装置の集光部で集光された光を、通信装置４０１に配光させる。
【０５７２】
通信装置４０１では、受光部４１７が、以上のようにして１以上の他の通信装置の配光部から配光されてくる、指示情報によって指示される他の通信装置の集光部により集光された光を受光し、表示部４１９が、その光によって、客室HA1の室内を照明する。すなわち、表示部４１９は、客室HA1のユーザによって過去に行われた操作に応じて指示された明るさで、客室HA1の室内を照明する。
【０５７３】
なお、図２５Ｂの処理は、通信装置４０１の他、協業処理システムを構成する通信装置すべてを対象として行われる。
【０５７４】
以上のように、図２５Ａで説明した処理によれば、例えば、客室HA1に設置された通信装置４０１において、指示部４１５が、客室HA1のユーザの操作に応じて、間接的に、他の通信装置の集光部により集光される光を指示すると、受光部４１７は、指示部４１５の指示に対応する指示情報に応じて指示される、他の通信装置の集光部により集光される光を受光し、表示部４１９は、受光部４１７が受光した光によって、客室HA1の室内を照明する。
【０５７５】
さらに、制御部４３１では、光量情報テーブルに、客室HA1のユーザのユーザIDと、表示部４１９に表示された画像の光量情報とが対応付けられて登録される。
【０５７６】
一方、図２５Ｂで説明した処理によれば、制御部４３１は、光量情報テーブルを用いて、特定のユーザIDとしての、例えば、通信装置４０１から制御部４３１に送信されてくる指示情報が指示する、客室HA1のユーザのユーザIDに対応付けられた光量情報（注目光量情報）を選択し、その注目光量情報に応じて、必要な１以上の他の通信装置の配光部による光の提供を制御する。
【０５７７】
すなわち、制御部４３１は、必要な１以上の他の通信装置の配光部を制御し、その１以上の他の通信装置の集光部で集光された光を、通信装置４０１に配光させる。
【０５７８】
そして、通信装置４０１では、受光部４１７が、必要な１以上の他の通信装置の配光部からの光を受光し、表示部４１９が、その光によって、客室HA1の室内を照明する。
【０５７９】
したがって、ユーザが、以前に、ホテルHAないしHDのうちのいずれかの客室に宿泊し、例えば、照明の明るさを、ユーザの好みの明るさに調整する操作を行った場合には、再度、ホテルHAないしHDのうちのいずれかの客室に宿泊したときに、照明の明るさを調整する操作を行わなくても、照明の明るさが、ユーザの好みの明るさに調整される。
【０５８０】
その結果、ホテルHAないしHDのうちの、ユーザが以前に宿泊したホテル側が、そのユーザのことを覚えており、ユーザの好みにあったもてなしをしているかのような感覚を、ユーザに与えることができる。
【０５８１】
なお、図２５では、受光部４１７で受光された光を、客室HA1の室内の照明に利用する場合について説明したが、図２５の処理は、受光部４１７で受光された光を、液晶セル１５１及び１５２（図６）で構成される表示部４１９で画像を表示するための光源、つまり、バックライトとして利用する場合にも適用可能である。
【０５８２】
すなわち、図２５の処理は、表示部４１９で表示する画像の明るさの調整にも適用可能である。
【０５８３】
次に、図２６を参照して、図２３の協業処理システムにおいて画像及び光に関して行われる処理について説明する。
【０５８４】
図２６Ａは、図２３の制御部４３１が画像及び光に関して行う処理の１つを説明するフローチャートである。
【０５８５】
例えば、通信装置４０１では、集光部４１１が、太陽光を集光し、その集光によって得られる光を、配光部４１３に出射している。
【０５８６】
ここで、配光部４１３は、集光部４１１からの光を、制御部４３１の制御に従い、通信装置４０２等の他の通信装置に配光（提供）する。
【０５８７】
通信装置４０２を含む、協業処理システムを構成する他の通信装置でも、通信装置４０１と同様に、太陽光を集光し、その結果得られる光を、制御部４３１の制御に従って配光する。
【０５８８】
例えば、いま、通信装置４０２において、配光部４２３が、制御部４３１の制御に従い、集光部４２１で集光された光を、通信装置４０１に配光しているとすると、通信装置４０１では、受光部４１７が、通信装置４０２の配光部４２３から配光されてくる光を受光し、表示部４１９に供給する。
【０５８９】
そして、客室HA1のユーザが、例えば、テレビジョン放送番組の画像や、通信装置４０１の撮像部４１２、及び通信装置４０２の撮像部４２２を含む、協業処理システムを構成する各通信装置の撮像部が撮像している画像、その他の画像のコンテンツの表示を指示するように操作を行うと、表示部４１９では、受光部４１７からの光をバックライトとして、客室HA1のユーザの指示に従った画像が表示される。
【０５９０】
一方、制御部４３１は、ステップＳ３６１において、通信装置４０１の表示部４１９による画像の表示の明るさ、つまり、バックライトの光量の変更の指示（要求）があったかどうかを判定する。
【０５９１】
すなわち、客室HA1のユーザが、表示部４１９による画像の表示の明るさを、現在より明るい明るさ、又は暗い明るさに変更するように操作を行った場合、通信装置４０１では、指示部４１５が、客室HA1のユーザの操作に応じて、変更後の明るさに対応するバックライトの光量を指示する指示情報を生成し、その指示情報に、客室HA1のユーザのユーザIDと、表示部４１９に表示されている画像のメタデータとを含めて、送信部４１６に供給する。
【０５９２】
送信部４１６は、指示部４１５からの指示情報を、制御部４３１に送信する。
【０５９３】
ここで、指示情報に含められる、表示部４１９に表示されている画像のメタデータとしては、例えば、その画像としてのテレビジョン放送番組のジャンル（例えば、スポーツ番組や、ニュース番組等）の情報や、画像に表示されているオブジェクトの情報等を採用することができる。
【０５９４】
また、客室HA1のユーザのユーザIDは、例えば、ホテルHAの従業員の操作、又は、客室HA1に宿泊するユーザの操作に応じて指示部に入力され、画像のメタデータは、例えば、その画像の画像信号に含まれていることとする。
【０５９５】
ステップＳ３６１では、以上のようにして、送信部４１６から制御部４３１に、バックライトの光量を指示する指示情報が送信されてきたかどうかを判定する。
【０５９６】
ステップＳ３６１において、バックライトの光量を指示する指示情報が送信されてきていないと判定された場合、すなわち、例えば、客室HA1のユーザが、表示部４１９による画像の表示の明るさを、現在の明るさにし続けることを希望している場合、処理は、ステップＳ３６２をスキップして、ステップＳ３６３に進む。
【０５９７】
また、ステップＳ３６1において、バックライトの光量を指示する指示情報が、送信部４１６から制御部４３１に送信されてきたと判定された場合、処理は、ステップＳ３６２に進み、制御部４３１は、通信装置４０１の表示部４１９で画像を表示するためのバックライトの光量を、現在の光量から、その指示情報によって指示される光量に切り換える（変更する）制御を行って、処理は、ステップＳ３６３に進む。
【０５９８】
すなわち、ステップＳ３６２では、制御部４３１は、通信装置４０１を除く他の通信装置のうちの、必要な１以上の他の通信装置の配光部を制御することにより、通信装置４０１の表示部４１９で画像を表示するためのバックライトの光量が、通信装置４０１（の送信部４１６）からの指示情報によって指示される光量になるように、１以上の他の通信装置の配光部から、その１以上の他の通信装置の集光部で集光された光を、通信装置４０１に配光させる。
【０５９９】
ここで、通信装置４０１から制御部４３１に送信されてくる、バックライトの光量を指示する指示情報は、そのバックライトの光量を得るための、他の通信装置の集光部で集光された光を、間接的に指示している、ということができる。
【０６００】
通信装置４０１では、受光部４１７が、以上のようにして他の通信装置の配光部から配光されてくる、指示情報によって指示される他の通信装置の集光部により集光された光を受光し、表示部４１９が、その光をバックライトとして、画像を表示する。すなわち、表示部４１９は、指示情報によって指示された光量に対応する明るさで、画像を表示する。
【０６０１】
ステップＳ３６３では、制御部４３１が、通信装置４０１の表示部４１９による現在の光量での画像の表示が開始されてから、所定の時間が経過したかどうかを判定する。
【０６０２】
ステップＳ３６３において、表示部４１９による現在の光量での画像の表示が開始されてから、所定の時間が経過していないと判定された場合、すなわち、表示部４１９による現在の光量での画像の表示が開始されてから、それほど時間が経過しておらず、客室HA1のユーザが、現在の画像の表示の明るさを、気に入らずに、バックライトの光量を変更する操作をする可能性がある場合、処理は、ステップＳ３６１に戻る。
【０６０３】
また、ステップＳ３６３において、表示部４１９による現在の光量での画像の表示が開始されてから、所定の時間が経過していると判定された場合、すなわち、客室HA1のユーザが、現在の画像の表示の明るさを、気に入って、ある程度長い時間、バックライトの光量のままにしている場合、処理は、ステップＳ３６４に進み、制御部４３１は、客室HA1のユーザのユーザIDと、そのユーザの操作に応じて変更されたバックライトの光量に関する光量情報、及び、表示部４１９に表示されている画像のメタデータとを対応付けて（紐付けて）、記憶部４３２に記憶させる（蓄積）する。
【０６０４】
ここで、上述したように、客室HA1のユーザが、バックライトの光量を変更するように操作を行うと、制御部４３１は、そのバックライトの光量を指示する指示情報に基づき、通信装置４０１以外の、１以上の他の通信装置の配光部から、その１以上の他の通信装置の集光部で集光された光を、通信装置４０１に配光させ、通信装置４０１では、そのようにして配光される光が、受光部４１７で受光される。
【０６０５】
すなわち、受光部４１７は、ユーザの、バックライトの光量を変更する操作に応じて、指示情報によって間接的に指示される、１以上の他の通信装置の集光部で集光された光を受光する。
【０６０６】
そして、制御部４３１は、ステップＳ３６４において、客室HA1のユーザのユーザIDと、そのユーザの操作に応じて受光部４１７が受光した光の光量に関する光量情報、及び、その光量の光を利用して（バックライトとして）表示部４１９に表示される画像のメタデータとが対応付けられたテーブル、すなわち、図２５で説明した光量情報テーブルのユーザID、及び光量情報に、さらに、画像のメタデータが対応付けられたテーブル（以下、バックライトテーブルともいう）を、記憶部４３２に記憶させる。
【０６０７】
ここで、バックライトテーブルに、ユーザID（及び光量情報）と対応付けて登録された画像のメタデータを、登録メタデータともいう。
【０６０８】
なお、光量情報としては、例えば、指示情報によって指示される、バックライトの光量の情報や、その指示情報に基づいて制御された配光部の情報（設定）等を採用することができる。
【０６０９】
また、図２６Ａの処理は、通信装置４０１の他、協業処理システムを構成する通信装置すべてを対象として行われる。
【０６１０】
次に、図２６Ｂは、図２３の制御部４３１が画像及び光に関して行う処理の他の１つを説明するフローチャートである。
【０６１１】
図２６Ｂの処理は、図２６Ａの処理で記憶部４３２に記憶されたバックライトテーブルを用いて行われる。
【０６１２】
例えば、客室HA1のユーザが、例えば、テレビジョン放送番組の画像や、通信装置４０１の撮像部４１２、及び通信装置４０２の撮像部４２２を含む、協業処理システムを構成する各通信装置の撮像部が撮像している画像、その他の画像のコンテンツの表示を指示するように操作を行うと、表示部４１９では、受光部４１７からの光をバックライトとして、客室HA1のユーザの指示に従った画像が表示される。
【０６１３】
さらに、通信装置４０１では、指示部４１５が、客室HA1のユーザによる、画像のコンテンツの表示の指示の操作に応じて、そのユーザのユーザIDと、表示部４１９に表示された画像のメタデータを指示する指示情報を生成し、送信部４１６に供給する。
【０６１４】
送信部４１６は、指示部４１５からの指示情報を、制御部４３１に送信し、制御部４３１は、以上のようにして、送信部４１６から送信されてくる、ユーザID及び画像のメタデータを指示する指示情報を受信する。
【０６１５】
制御部４３１は、ユーザID及び画像のメタデータを指示する指示情報を受信すると、ステップＳ３７１において、その指示情報によって指示されるユーザIDのユーザの履歴が存在するかどうか、すなわち、記憶部４３２に記憶されたバックライトテーブルに、指示情報によって指示されるユーザIDが登録されているかどうかを判定する。
【０６１６】
ステップＳ３７１において、記憶部４３２に記憶されたバックライトテーブルに、指示情報によって指示されるユーザIDが登録されていないと判定された場合、すなわち、例えば、指示情報によって指示されるユーザIDのユーザが、図４の街に宿泊するのが初めてである場合、処理は、ステップＳ３７２及びＳ３７３をスキップして終了する。
【０６１７】
また、ステップＳ３７１において、記憶部４３２に記憶されたバックライトテーブルに、指示情報によって指示されるユーザIDが登録されていると判定された場合、処理は、ステップＳ３７２に進み、制御部４３１は、バックライトテーブルにおいて、指示情報によって指示されるユーザIDと対応付けられている光量情報及び登録メタデータの１以上のセットを、注目セットとして選択（検出）して、処理は、ステップＳ３７３に進む。
【０６１８】
ステップＳ３７３では、制御部４３１は、１以上の注目セットの中から、指示情報によって指示される画像のメタデータに一致する登録メタデータを含む注目セットを選択し、その注目セットの光量情報を、注目光量情報として選択（検出）する。
【０６１９】
さらに、ステップＳ３７３では、注目光量情報の選択後、制御部４３１は、ステップＳ３７２で選択された注目光量情報に応じて、通信装置４０１を除く他の通信装置のうちの、必要な１以上の他の通信装置の配光部を制御することにより、通信装置４０１の表示部４１９で画像を表示するためのバックライトの光量が、客室HA1のユーザによって過去に行われた操作に応じて指示された光量になるように、１以上の他の通信装置の配光部から、その１以上の他の通信装置の集光部で集光された光を、通信装置４０１に配光させる。
【０６２０】
通信装置４０１では、受光部４１７が、以上のようにして１以上の他の通信装置の配光部から配光されてくる、指示情報によって指示される他の通信装置の集光部により集光された光を受光し、表示部４１９が、その光をバックライトとして、画像を表示する。すなわち、表示部４１９は、客室HA1のユーザが、過去に画像を見たときに行った操作に応じて指示された光量で、その画像のメタデータに一致するメタデータを有する画像が表示される。
【０６２１】
なお、図２６Ｂの処理は、通信装置４０１の他、協業処理システムを構成する通信装置すべてを対象として行われる。
【０６２２】
以上のように、図２６Ａで説明した処理によれば、例えば、客室HA1に設置された通信装置４０１において、指示部４１５が、客室HA1のユーザの操作に応じて、間接的に、他の通信装置の集光部により集光される光を指示すると、受光部４１７は、指示部４１５の指示に対応する指示情報に応じて指示される、他の通信装置の集光部により集光される光を受光し、表示部４１９は、受光部４１７が受光した光をバックライトとして、画像を表示する。
【０６２３】
さらに、制御部４３１では、バックライトテーブルに、客室HA1のユーザのユーザIDと、表示部４１９に表示された画像のメタデータ（登録メタデータ）、及び、その画像を表示したときのバックライトの光量に関するの光量情報とが対応付けられて登録される。
【０６２４】
一方、図２６Ｂで説明した処理によれば、制御部４３１は、バックライトテーブルを用いて、特定のユーザIDとしての、例えば、通信装置４０１から制御部４３１に送信されてくる指示情報が指示する客室HA1のユーザのユーザIDに対応付けられた、登録メタデータと光量情報との１以上のセットを選択し、その１以上のセットの光量情報の中から、指示情報が指示する画像のメタデータ、つまり、表示部４１９に表示されている画像のメタデータに一致する登録メタデータに対応付けられている光量情報を、注目光量情報検出する。
【０６２５】
さらに、制御部４３１は、注目光量情報に応じて、必要な１以上の他の通信装置の配光部による光の提供を制御する。
【０６２６】
すなわち、制御部４３１は、必要な１以上の他の通信装置の配光部を制御し、その１以上の他の通信装置の集光部で集光された光を、通信装置４０１に配光させる。
【０６２７】
そして、通信装置４０１では、受光部４１７が、必要な１以上の他の通信装置の配光部からの光を受光し、表示部４１９が、その光をバックライトとして、表示部４１９に画像を表示する。
【０６２８】
したがって、ユーザが、以前に、ホテルHAないしHDのうちのいずれかの客室に宿泊し、例えば、画像を表示するためのバックライトの光量を、ユーザの好みの光量に調整する操作を行った場合には、再度、ホテルHAないしHDのうちのいずれかの客室に宿泊したときに、バックライトの光量を調整する操作を行わなくても、バックライトの光量が、ユーザの好みの光量に調整される。
【０６２９】
さらに、このバックライトの光量の調整は、表示部４１９に表示される画像（のメタデータ）ごとに行われる。
【０６３０】
その結果、ホテルHAないしHDのうちの、ユーザが以前に宿泊したホテル側が、そのユーザのことを覚えており、ユーザの好みにあったもてなしをしているかのような感覚を、ユーザに与えることができる。
【０６３１】
なお、図２６では、バックライトの光量を制御するようにしたが、その他、例えば、客室HA1の、表示部４１９とは独立した照明装置の光量を、バックライトの光量に代えて制御することが可能である。
【０６３２】
次に、図２３の協業処理システムを構成する通信装置４０１の表示部４１９（を含む図示せぬ採光部）は、図１６の表示部３１５（を含む採光部３４５）のように、客室HA1の壁面に設ける他、天井に設けることができる。
【０６３３】
図２７は、そのように通信装置４０１が設置された客室HA1の構成例を示している。
【０６３４】
すなわち、図２７Ａは、表示部４１９が天井に設けられた状態の、通信装置４０１が設置された客室HA1の構成例を模式的に示す斜視図である。
【０６３５】
図２７Ａにおいては、通信装置４０１の表示部４１９（を含む図示せぬ採光部）が、画像を表示する表示面を、客室HA1の室内側に向けて、天井に設けられている。
【０６３６】
天井に設けられた表示部４１９においては、例えば、仮に、客室HA1の天井がなかったならば見えるであろう空の景色の画像等を表示することができる。
【０６３７】
また、例えば、ホテルHAの最上階に設置された通信装置の撮像部によって、図２８Ｂに示すように、太陽が見える状態の空の景色の画像や、図２８Ｃに示すように、太陽が雲に隠れて見えない状態の空の景色の画像等を撮像しておき、表示部４１９では、ユーザの操作に応じて、太陽が見える状態の空の景色の画像、又は、太陽が雲に隠れて見えない状態の空の景色の画像を表示することができる。
【０６３８】
以上のように、天井（に設けられた表示部４１９）に画像を表示することにより、ユーザは、例えば、ルーフバルコニにいるかのような感覚を享受することができる。
【０６３９】
また、最上階以外の客室に宿泊しているユーザは、最上階の客室に宿泊しているかのような感覚を享受することができる。
【０６４０】
さらに、例えば、客室HA1が地下にある場合でも、ユーザは、地上の階の客室に宿泊しているかのような感覚を享受することができる。
【０６４１】
次に、上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０６４２】
そこで、図２８は、上述した一連の処理を実行するプログラムがインストールされるコンピュータの一実施の形態の構成例を示している。
【０６４３】
プログラムは、コンピュータに内蔵されている記録媒体としてのハードディスク５０５やROM５０３に予め記録しておくことができる。
【０６４４】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体５１１に、一時的あるいは永続的に格納（記録）しておくことができる。このようなリムーバブル記録媒体５１１は、いわゆるパッケージソフトウエアとして提供することができる。
【０６４５】
なお、プログラムは、上述したようなリムーバブル記録媒体５１１からコンピュータにインストールする他、ダウンロードサイトから、ディジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部５０８で受信し、内蔵するハードディスク５０５にインストールすることができる。
【０６４６】
コンピュータは、CPU(Central Processing Unit)５０２を内蔵している。CPU５０２には、バス５０１を介して、入出力インタフェース５１０が接続されており、CPU５０２は、入出力インタフェース５１０を介して、ユーザによって、キーボードや、マウス、マイク等で構成される入力部５０７が操作等されることにより指令が入力されると、それに従って、ROM(Read Only Memory)５０３に格納されているプログラムを実行する。あるいは、また、CPU５０２は、ハードディスク５０５に格納されているプログラム、衛星若しくはネットワークから転送され、通信部５０８で受信されてハードディスク５０５にインストールされたプログラム、またはドライブ５０９に装着されたリムーバブル記録媒体５１１から読み出されてハードディスク５０５にインストールされたプログラムを、RAM(Random Access Memory)５０４にロードして実行する。これにより、CPU５０２は、上述したフローチャートにしたがった処理、あるいは上述したブロック図の構成により行われる処理を行う。そして、CPU５０２は、その処理結果を、必要に応じて、例えば、入出力インタフェース５１０を介して、LCD(Liquid Crystal Display)やスピーカ等で構成される出力部５０６から出力、あるいは、通信部５０８から送信、さらには、ハードディスク５０５に記録等させる。
【０６４７】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０６４８】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【０６４９】
なお、本発明の実施の形態は、上述した実施の形態に限定されるものではなく、本発明の要旨を逸脱しない範囲において種々の変更が可能である。
【０６５０】
すなわち、例えば、図２４では、制御装置４０３を構成する制御部４３１が、協業処理システムを構成する通信装置すべてを対象として、図２４の処理を行うこととしたが、図２４の処理は、協業処理システムを構成する各通信装置が、ポインタテーブル及びユーザテーブル（図２４Ｂ）を共有しながら、その通信装置自身（自分自身）を対象として、いわば分散して行うことができる。
【０６５１】
図２５や図２６等の処理も同様である。
【図面の簡単な説明】
【０６５２】
【図１】本発明を適用した、複数の施設が協力し合う協業を実現するための協業処理システムが設置される街の例を示す図である。
【図２】図１の街に設置された協業処理システムの構成例を示すブロック図である。
【図３】通信装置１１の処理を説明するフローチャートである。
【図４】協業処理システムが設置される他の街の例を示す図である。
【図５】ホテルHAの客室HA1の構成例を模式的に示す図である。
【図６】表示部１１５として用いられる液晶表示装置の構成例を示す図である。
【図７】液晶表示装置の第１ないし第４の状態を示す図である。
【図８】図４の街に適用される協業処理システムの第１の構成例を示すブロック図である。
【図９】通信装置１０１の処理を説明するフローチャートである。
【図１０】制御装置１０３の処理を説明するフローチャートである。
【図１１】図４の街に適用される協業処理システムの第２の構成例を示すブロック図である。
【図１２】通信装置１０１の処理を説明するフローチャートである。
【図１３】制御装置１０３の処理を説明するフローチャートである。
【図１４】図４の街に適用される協業処理システムの第３の構成例を示すブロック図である。
【図１５】図４の街に適用される協業処理システムの第４の構成例を示すブロック図である。
【図１６】通信装置３０１が設置された客室HA1の構成例を示す断面図である。
【図１７】集光部３１１として用いられる太陽光採光装置の構成例を示す図である。
【図１８】太陽光採光装置３８０の詳細な構成例を示す図である。
【図１９】採光部３４５の構成例を示す断面図である。
【図２０】採光部３４５の他の構成例を示す図である。
【図２１】配光部３３２の動作モードを説明する図である。
【図２２】協業処理システムの処理を説明するフローチャートである。
【図２３】図４の街に適用される協業処理システムの第５の構成例を示すブロック図である。
【図２４】協業処理システムの処理を説明する図である。
【図２５】協業処理システムの処理を説明するフローチャートである。
【図２６】協業処理システムの処理を説明するフローチャートである。
【図２７】通信装置４０１が設置された客室HA1の構成例を模式的に示す図である。
【図２８】本発明を適用したコンピュータの一実施の形態の構成例を示すブロック図である。
【符号の説明】
【０６５３】
１１，１２  通信装置，  １３  制御装置，  ３１  センサ部，  ３２  指示部，  ３３  送信部，  ３４  レシーブ部，  ４１  センサ部，  ４２  指示部，  ４３  送信部，  ４４  レシーブ部，  ５１  制御部，  ５２，５３  送出部，  １０１，１０２  通信装置，  １０３  制御装置，  １１１  撮像部，  １１２  指示部，  １１３  送信部，  １１４  受信部，  １１５  表示部，  １１６  切り替え部，  １２１  撮像部，  １２２  指示部，  １２３  送信部，  １２４  受信部，  １２５  表示部，  １２６  切り替え部，  １３１  制御部，  １３２，１３３  送出部，  １３４  記憶部，  １５１，１５２  液晶セル，  ２０１，２０２  通信装置，  ２０３  制御装置，  ２１１  集光部，  ２１２  指示部，  ２１３  送信部，  ２１４  受光部，２２１  集光部，  ２２２  指示部，  ２２３  送信部，  ２２４  受光部，  ２３１  制御部，  ２３２，２３３  配光部，  ３０１，３０２  通信装置，  ３０３  制御装置，  ３１１  集光部，  ３１２  指示部，  ３１３  送信部，  ３１４  受光部，  ３１５  表示部，  ３１６  蓄電部，  ３１７  光量検出部，  ３２１  集光部，  ３２２  指示部，  ３２３  送信部，  ３２４  受光部，  ３３１  制御部，  ３３２，３３３  配光部，  ３４１  ソーラーパネル，  ３４２Ｌ，３４２Ｒ  反射板，  ３４３，３４４  光ファイバ，  ３４５  採光部，  ３４６  光出力パネル，  ３５１  バックライト部，  ３６１，３６２  レンズ，  ３６３，３６４  プリズム，  ３７１1ないし３７１N  レンズ，  ３７２  レンズホルダ，  ３７３  反射板，  ３７４  モータ，  ３７５1，３７５2  歯車，  ３７６  水平軸，  ３７７  レンズホルダ支持部材，  ３７８  回転基台，  ３７９  固定基台，  ３７９ａ  レール，  ３８０  太陽光採光装置，  ３８１  モータ，  ３８２  ローラ，  ３８３  センサ，  ４０１，４０２  通信装置，  ４０３  制御装置，  ４１１  集光部，  ４１２  撮像部，  ４１３  配光部，  ４１４  送出部，  ４１５  指示部，  ４１６  送信部，  ４１７  受光部，  ４１８  受信部，  ４１９  表示部，  ４２１  集光部，  ４２２  撮像部，  ４２３  配光部，  ４２４  送出部，  ４２５  指示部，  ４２６  送信部，  ４２７  受光部，  ４２８  受信部，  ４２９  表示部，  ４３１  制御部，  ４３２  記憶部，  ５０１  バス，  ５０２  CPU，  ５０３  ROM，  ５０４  RAM，  ５０５  ハードディスク，  ５０６  出力部，  ５０７  入力部，  ５０８  通信部，  ５０９  ドライブ，  ５１０  入出力インタフェース，  ５１１  リムーバブル記録媒体
【図１】
0005207030.tif 000002
【図２】
0005207030.tif 000003
【図３】
0005207030.tif 000004
【図４】
0005207030.tif 000005
【図５】
0005207030.tif 000006
【図６】
0005207030.tif 000007
【図７】
0005207030.tif 000008
【図８】
0005207030.tif 000009
【図９】
0005207030.tif 000010
【図１０】
0005207030.tif 000011
【図１１】
0005207030.tif 000012
【図１２】
0005207030.tif 000013
【図１３】
0005207030.tif 000014
【図１４】
0005207030.tif 000015
【図１５】
0005207030.tif 000016
【図１６】
0005207030.tif 000017
【図１７】
0005207030.tif 000018
【図１８】
0005207030.tif 000019
【図１９】
0005207030.tif 000020
【図２０】
0005207030.tif 000021
【図２１】
0005207030.tif 000022
【図２２】
0005207030.tif 000023
【図２３】
0005207030.tif 000024
【図２４】
0005207030.tif 000025
【図２５】
0005207030.tif 000026
【図２６】
0005207030.tif 000027
【図２７】
0005207030.tif 000028
【図２８】
0005207030.tif 000029